(57)【要約】【課題】精度よく認知機能障害および脳機能障害の評価を行う。【解決手段】評価装置は、表示画面と、表示画面を観察する被験者の注視点の位置を検出する注視点検出部と、設問情報を表示画面に表示する第１表示動作と、誘導対象物を表示画面に表示する第２表示動作と、第２表示動作の後に複数の回答対象物を表示画面の誘導位置と重ならない位置に配置して表示する第３表示動作と、を含む表示動作を行う表示制御部と、複数の回答対象物のうち特定対象物に対応した特定領域と、特定対象物とは異なる比較対象物に対応した比較領域とを設定する領域設定部と、注視点の位置に基づいて、第３表示動作が行われる表示期間に注視点が特定領域及び比較領域に存在するか否かの判定を行う判定部と、判定部における判定結果に基づいて、表示期間における注視点データを算出する演算部と、注視点データに基づいて、被験者の評価データを求める評価部とを備える。【選択図】図３
2020025849.tif 000002
【特許請求の範囲】
【請求項１】
表示画面と、
前記表示画面を観察する被験者の注視点の位置を検出する注視点検出部と、
被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行う表示制御部と、
複数の前記回答対象物のうち特定対象物に対応した特定領域と、前記特定対象物とは異なる比較対象物に対応した比較領域とを設定する領域設定部と、
前記注視点の位置に基づいて、前記第３表示動作が行われる表示期間に前記注視点が前記特定領域及び前記比較領域に存在するか否かの判定を行う判定部と、
前記判定部における判定結果に基づいて、前記表示期間における注視点データを算出する演算部と、
前記注視点データに基づいて、前記被験者の評価データを求める評価部と
を備える評価装置。
【請求項２】
前記領域設定部は、複数の前記特定領域と前記比較領域とを互いに重ならない位置に設定する
請求項１に記載の評価装置。
【請求項３】
前記表示制御部は、複数の前記回答対象物を前記誘導位置から等距離となる位置に配置する
請求項１又は請求項２に記載の評価装置。
【請求項４】
前記判定部は、前記注視点の位置に基づいて、前記第２表示動作の後に前記注視点が前記目標位置を含む所定領域に存在するか否かを検出し、前記所定領域に存在することが検出された場合に前記判定を行う
請求項１から請求項３のいずれか一項に記載の評価装置。
【請求項５】
前記表示制御部は、前記第１表示動作において複数の図柄を表示すると共に、複数の前記図柄のうち所定の条件に適合する図柄の数を被験者に記憶させる第１の設問情報を表示し、前記第１の設問情報に基づいて記憶させた前記図柄の数を用いて被験者に計算させる第２の設問情報を表示する
請求項１から請求項４のいずれか一項に記載の評価装置。
【請求項６】
前記注視点データは、前記表示期間の開始時点から前記注視点が前記特定領域に最初に到達した到達時点までの時間を示す到達時間データと、前記注視点が最初に前記特定領域に到達するまでに複数の前記比較領域の間で前記注視点の位置が移動する回数を示す移動回数データと、前記表示期間に前記注視点が前記特定領域または前記比較領域に存在した存在時間を示す存在時間データと、前記特定領域及び前記比較領域のうち前記表示時間において前記注視点が最後に存在していた領域を示す最終領域データと、を含み、
前記評価部は、前記注視点データのうち少なくとも１つのデータに基づいて、前記被験者の評価データを求める、
請求項１から請求項５のいずれか一項に記載の評価装置。
【請求項７】
表示画面に画像を表示することと、
前記表示画面を観察する被験者の注視点の位置を検出することと、
被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行うことと、
複数の前記回答対象物のうち特定対象物に対応した特定領域と、前記特定対象物とは異なる比較対象物に対応した比較領域とを設定することと、
前記注視点の位置に基づいて、前記第３表示動作が行われる表示期間に前記注視点が前記特定領域及び前記比較領域に存在するか否かの判定を行うことと、
判定結果に基づいて、前記表示期間における注視点データを算出することと、
前記注視点データに基づいて、前記被験者の評価データを求めることと
を含む評価方法。
【請求項８】
表示画面に画像を表示する処理と、
前記表示画面を観察する被験者の注視点の位置を検出する処理と、
被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行う処理と、
複数の前記回答対象物のうち特定対象物に対応した特定領域と、前記特定対象物とは異なる比較対象物に対応した比較領域とを設定する処理と、
前記注視点の位置に基づいて、前記第３表示動作が行われる表示期間に前記注視点が前記特定領域及び前記比較領域に存在するか否かの判定を行う処理と、
判定結果に基づいて、前記表示期間における注視点データを算出する処理と、
前記注視点データに基づいて、前記被験者の評価データを求める処理と
をコンピュータに実行させる評価プログラム。
【発明の詳細な説明】
【技術分野】
【０００１】
本発明は、評価装置、評価方法、及び評価プログラムに関する。
【背景技術】
【０００２】
近年、認知機能障害および脳機能障害が増加傾向にあるといわれており、このような認知機能障害および脳機能障害を早期に発見し、症状の重さを定量的に評価することが求められている。認知機能障害および脳機能障害の症状は、認知能力に影響することが知られている。このため、被験者の認知能力に基づいて被験者を評価することが行われている。例えば、複数種類の数字を表示し、その数字を被験者に加算させて答えを求めさせ、被験者の出した答えを確認する装置が提案されている（例えば、特許文献１参照）。
【先行技術文献】
【特許文献】
【０００３】
【特許文献１】特開２０１１−０８３４０３号公報
【発明の概要】
【発明が解決しようとする課題】
【０００４】
しかしながら、特許文献１等の方法では、被験者がタッチパネルの操作等により答えを選択する形態であるため、偶然性も含めて検証が困難であり、高い評価精度を得ることが難しかった。そのため、精度よく認知機能障害および脳機能障害を評価することが求められていた。
【０００５】
本発明は、上記に鑑みてなされたものであり、精度よく認知機能障害および脳機能障害の評価を行うことが可能な評価装置、評価方法、及び評価プログラムを提供することを目的とする。
【課題を解決するための手段】
【０００６】
本発明に係る評価装置は、表示画面と、前記表示画面を観察する被験者の注視点の位置を検出する注視点検出部と、被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行う表示制御部と、複数の前記回答対象物のうち特定対象物に対応した特定領域と、前記特定対象物とは異なる比較対象物に対応した比較領域とを設定する領域設定部と、前記注視点の位置に基づいて、前記第３表示動作が行われる表示期間に前記注視点が前記特定領域及び前記比較領域に存在するか否かの判定を行う判定部と、前記判定部における判定結果に基づいて、前記表示期間における注視点データを算出する演算部と、前記注視点データに基づいて、前記被験者の評価データを求める評価部とを備える。
【０００７】
本発明に係る評価方法は、表示画面に画像を表示することと、前記表示画面を観察する被験者の注視点の位置を検出することと、被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行うことと、複数の前記回答対象物のうち特定対象物に対応した特定領域と、前記特定対象物とは異なる比較対象物に対応した比較領域とを設定することと、前記注視点の位置に基づいて、前記第３表示動作が行われる表示期間に前記注視点が前記特定領域及び前記比較領域に存在するか否かの判定を行うことと、判定結果に基づいて、前記表示期間における注視点データを算出することと、前記注視点データに基づいて、前記被験者の評価データを求めることとを含む。
【０００８】
本発明に係る評価プログラムは、表示画面に画像を表示する処理と、前記表示画面を観察する被験者の注視点の位置を検出する処理と、被験者に対する設問となる設問情報を前記表示画面に表示する第１表示動作と、前記被験者の注視点を目標位置に誘導する誘導対象物を前記表示画面に表示する第２表示動作と、前記第２表示動作の後に前記設問に対する回答となる複数の回答対象物を前記表示画面の誘導位置と重ならない位置に配置して表示する第３表示動作と、を含む表示動作を行う処理と、複数の前記回答対象物のうち特定対象物に対応した特定領域と、前記特定対象物とは異なる比較対象物に対応した比較領域とを設定する処理と、前記注視点の位置に基づいて、前記第３表示動作が行われる表示期間に前記注視点が前記特定領域及び前記比較領域に存在するか否かの判定を行う処理と、判定結果に基づいて、前記表示期間における注視点データを算出する処理と、前記注視点データに基づいて、前記被験者の評価データを求める処理とをコンピュータに実行させる。
【発明の効果】
【０００９】
本発明によれば、精度よく認知機能障害および脳機能障害の評価を行うことが可能な評価装置、評価方法、及び評価プログラムを提供することができる。
【図面の簡単な説明】
【００１０】
【図１】図１は、本実施形態に係る視線検出装置の一例を模式的に示す斜視図である。
【図２】図２は、本実施形態に係る視線検出装置のハードウェア構成の一例を示す図である。
【図３】図３は、本実施形態に係る視線検出装置の一例を示す機能ブロック図である。
【図４】図４は、本実施形態に係る角膜曲率中心の位置データの算出方法を説明するための模式図である。
【図５】図５は、本実施形態に係る角膜曲率中心の位置データの算出方法を説明するための模式図である。
【図６】図６は、本実施形態に係るキャリブレーション処理の一例を説明するための模式図である。
【図７】図７は、本実施形態に係る注視点検出処理の一例を説明するための模式図である。
【図８】図８は、表示画面に表示する設問情報の一例を示す図である。
【図９】図９は、表示画面に表示する誘導対象物の一例を示す図である。
【図１０】図１０は、表示画面に表示する回答対象物の一例を示す図である。
【図１１】図１１は、表示画面に設定される領域の一例を示す図である。
【図１２】図１２は、表示画面に表示する設問情報の一例を示す図である。
【図１３】図１３は、表示画面に表示する誘導対象物の一例を示す図である。
【図１４】図１４は、表示画面に表示する回答対象物の一例を示す図である。
【図１５】図１５は、表示画面に設定される領域の一例を示す図である。
【図１６】図１６は、表示画面に表示する誘導対象物の他の表示例を示す図である。
【図１７】図１７は、表示画面に表示する回答対象物の他の表示例を示す図である。
【図１８】図１８は、表示画面に表示する指示情報の一例を示す図である。
【図１９】図１９は、表示画面に表示する設問情報の一例を示す図である。
【図２０】図２０は、表示画面に表示する誘導対象物の一例を示す図である。
【図２１】図２１は、表示画面に表示する回答対象物の一例を示す図である。
【図２２】図２２は、表示画面に表示する回答対象物の他の表示例を示す図である。
【図２３】図２３は、本実施形態に係る評価方法の一例を示すフローチャートである。
【図２４】図２４は、第２表示動作を行った後の動作の一例を示す図である。
【図２５】図２５は、本実施形態に係る評価方法の他の例を示すフローチャートである。
【図２６】図２６は、第２表示動作の後の動作の他の例を示す図である。
【図２７】図２７は、表示画面に表示する回答対象物の一例を示す図である。
【図２８】図２８は、本実施形態に係る評価方法の他の例を示すフローチャートである。
【図２９】図２９は、表示画面に表示する設問情報の他の例を示す図である。
【図３０】図３０は、表示画面に表示する設問情報の他の例を示す図である。
【図３１】図３１は、表示画面に表示する設問情報の他の例を示す図である。
【図３２】図３２は、表示画面に表示する誘導対象物の他の例を示す図である。
【図３３】図３３は、表示画面に表示する回答対象物の他の例を示す図である。
【図３４】図３４は、第１表示動作における処理の他の例を示すフローチャートである。
【図３５】図３５は、第１表示動作及び第２表示動作における処理の他の例を示すフローチャートである。
【図３６】図３６は、表示画面に表示する指示情報の他の例を示す図である。
【図３７】図３７は、表示画面に表示する設問情報の他の例を示す図である。
【図３８】図３８は、表示画面に表示する誘導対象物の他の例を示す図である。
【図３９】図３９は、表示画面に表示する設問情報の他の例を示す図である。
【図４０】図４０は、表示画面に表示する設問情報の他の例を示す図である。
【図４１】図４１は、表示画面に表示する設問情報の他の例を示す図である。
【図４２】図４２は、表示画面に表示する誘導対象物の他の例を示す図である。
【発明を実施するための形態】
【００１１】
以下、本発明に係る評価装置、評価方法、及び評価プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１２】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１３】
（視線検出装置）
図１は、第１実施形態に係る視線検出装置１００の一例を模式的に示す斜視図である。視線検出装置１００は、認知機能障害および脳機能障害の評価を行う評価装置として用いられる。図１に示すように、視線検出装置１００は、表示装置１０１と、ステレオカメラ装置１０２と、照明装置１０３とを備える。
【００１４】
表示装置１０１は、液晶ディスプレイ（liquid  crystal  display：ＬＣＤ）又は有機ＥＬディスプレイ（organic  electroluminescence  display：ＯＬＥＤ）のようなフラットパネルディスプレイを含む。本実施形態において、表示装置１０１は、表示画面１０１Ｓを有する。表示画面１０１Ｓは、画像を表示する。本実施形態において、表示画面１０１Ｓは、例えば被験者の視機能を評価するための指標を表示する。表示画面１０１Ｓは、ＸＹ平面と実質的に平行である。Ｘ軸方向は表示画面１０１Ｓの左右方向であり、Ｙ軸方向は表示画面１０１Ｓの上下方向であり、Ｚ軸方向は表示画面１０１Ｓと直交する奥行方向である。
【００１５】
ステレオカメラ装置１０２は、第１カメラ１０２Ａ及び第２カメラ１０２Ｂを有する。ステレオカメラ装置１０２は、表示装置１０１の表示画面１０１Ｓよりも下方に配置される。第１カメラ１０２Ａと第２カメラ１０２ＢとはＸ軸方向に配置される。第１カメラ１０２Ａは、第２カメラ１０２Ｂよりも−Ｘ方向に配置される。第１カメラ１０２Ａ及び第２カメラ１０２Ｂはそれぞれ、赤外線カメラを含み、例えば波長８５０［ｎｍ］の近赤外光を透過可能な光学系と、その近赤外光を受光可能な撮像素子とを有する。
【００１６】
照明装置１０３は、第１光源１０３Ａ及び第２光源１０３Ｂを有する。照明装置１０３は、表示装置１０１の表示画面１０１Ｓよりも下方に配置される。第１光源１０３Ａと第２光源１０３ＢとはＸ軸方向に配置される。第１光源１０３Ａは、第１カメラ１０２Ａよりも−Ｘ方向に配置される。第２光源１０３Ｂは、第２カメラ１０２Ｂよりも＋Ｘ方向に配置される。第１光源１０３Ａ及び第２光源１０３Ｂはそれぞれ、ＬＥＤ（light  emitting  diode）光源を含み、例えば波長８５０［ｎｍ］の近赤外光を射出可能である。なお、第１光源１０３Ａ及び第２光源１０３Ｂは、第１カメラ１０２Ａと第２カメラ１０２Ｂとの間に配置されてもよい。
【００１７】
照明装置１０３は、検出光である近赤外光を射出して、被験者の眼球１１１を照明する。ステレオカメラ装置１０２は、第１光源１０３Ａから射出された検出光が眼球１１１に照射されたときに第２カメラ１０２Ｂで眼球１１１の一部（以下、これを含めて「眼球」とする）を撮影し、第２光源１０３Ｂから射出された検出光が眼球１１１に照射されたときに第１カメラ１０２Ａで眼球１１１を撮影する。
【００１８】
第１カメラ１０２Ａ及び第２カメラ１０２Ｂの少なくとも一方からフレーム同期信号が出力される。第１光源１０３Ａ及び第２光源１０３Ｂは、フレーム同期信号に基づいて検出光を射出する。第１カメラ１０２Ａは、第２光源１０３Ｂから射出された検出光が眼球１１１に照射されたときに、眼球１１１の画像データを撮影する。第２カメラ１０２Ｂは、第１光源１０３Ａから射出された検出光が眼球１１１に照射されたときに、眼球１１１の画像データを撮影する。
【００１９】
眼球１１１に検出光が照射されると、その検出光の一部は瞳孔１１２で反射し、その瞳孔１１２からの光がステレオカメラ装置１０２に入射する。また、眼球１１１に検出光が照射されると、角膜の虚像である角膜反射像１１３が眼球１１１に形成され、その角膜反射像１１３からの光がステレオカメラ装置１０２に入射する。
【００２０】
第１カメラ１０２Ａ及び第２カメラ１０２Ｂと第１光源１０３Ａ及び第２光源１０３Ｂとの相対位置が適切に設定されることにより、瞳孔１１２からステレオカメラ装置１０２に入射する光の強度は低くなり、角膜反射像１１３からステレオカメラ装置１０２に入射する光の強度は高くなる。すなわち、ステレオカメラ装置１０２で撮影される瞳孔１１２の画像は低輝度となり、角膜反射像１１３の画像は高輝度となる。ステレオカメラ装置１０２は、撮影される画像の輝度に基づいて、瞳孔１１２の位置及び角膜反射像１１３の位置を検出することができる。
【００２１】
図２は、本実施形態に係る視線検出装置１００のハードウェア構成の一例を示す図である。図２に示すように、視線検出装置１００は、表示装置１０１と、ステレオカメラ装置１０２と、照明装置１０３と、コンピュータシステム２０と、入出力インターフェース装置３０と、駆動回路４０と、出力装置５０と、入力装置６０とを備える。
【００２２】
コンピュータシステム２０と、駆動回路４０と、出力装置５０と、入力装置６０とは、入出力インターフェース装置３０を介してデータ通信する。コンピュータシステム２０は、演算処理装置２０Ａ及び記憶装置２０Ｂを含む。演算処理装置２０Ａは、ＣＰＵ（central  processing  unit）のようなマイクロプロセッサを含む。記憶装置２０Ｂは、ＲＯＭ（read  only  memory）及びＲＡＭ（random  access  memory）のようなメモリ又はストレージを含む。演算処理装置２０Ａは、記憶装置２０Ｂに記憶されているコンピュータプログラム２０Ｃに従って演算処理を実施する。
【００２３】
駆動回路４０は、駆動信号を生成して、表示装置１０１、ステレオカメラ装置１０２、及び照明装置１０３に出力する。また、駆動回路４０は、ステレオカメラ装置１０２で撮影された眼球１１１の画像データを、入出力インターフェース装置３０を介してコンピュータシステム２０に供給する。
【００２４】
出力装置５０は、フラットパネルディスプレイのような表示装置を含む。なお、出力装置５０は、印刷装置を含んでもよい。入力装置６０は、操作されることにより入力データを生成する。入力装置６０は、コンピュータシステム用のキーボード又はマウスを含む。なお、入力装置６０が表示装置である出力装置５０の表示画面に設けられたタッチセンサを含んでもよい。
【００２５】
本実施形態においては、表示装置１０１とコンピュータシステム２０とは別々の装置である。なお、表示装置１０１とコンピュータシステム２０とが一体でもよい。例えば視線検出装置１００がタブレット型パーソナルコンピュータを含む場合、そのタブレット型パーソナルコンピュータに、コンピュータシステム２０、入出力インターフェース装置３０、駆動回路４０、及び表示装置１０１が搭載されてもよい。
【００２６】
図３は、本実施形態に係る視線検出装置１００の一例を示す機能ブロック図である。図３に示すように、入出力インターフェース装置３０は、入出力部３０２を有する。駆動回路４０は、表示装置１０１を駆動するための駆動信号を生成して表示装置１０１に出力する表示装置駆動部４０２と、第１カメラ１０２Ａを駆動するための駆動信号を生成して第１カメラ１０２Ａに出力する第１カメラ入出力部４０４Ａと、第２カメラ１０２Ｂを駆動するための駆動信号を生成して第２カメラ１０２Ｂに出力する第２カメラ入出力部４０４Ｂと、第１光源１０３Ａ及び第２光源１０３Ｂを駆動するための駆動信号を生成して第１光源１０３Ａ及び第２光源１０３Ｂに出力する光源駆動部４０６とを有する。また、第１カメラ入出力部４０４Ａは、第１カメラ１０２Ａで撮影された眼球１１１の画像データを、入出力部３０２を介してコンピュータシステム２０に供給する。第２カメラ入出力部４０４Ｂは、第２カメラ１０２Ｂで撮影された眼球１１１の画像データを、入出力部３０２を介してコンピュータシステム２０に供給する。
【００２７】
コンピュータシステム２０は、視線検出装置１００を制御する。コンピュータシステム２０は、表示制御部２０２と、光源制御部２０４と、画像データ取得部２０６と、入力データ取得部２０８と、位置検出部２１０と、曲率中心算出部２１２と、注視点検出部２１４と、領域設定部２１６と、判定部２１８と、演算部２２０と、記憶部２２２と、評価部２２４と、出力制御部２２６とを有する。コンピュータシステム２０の機能は、演算処理装置２０Ａ及び記憶装置２０Ｂによって発揮される。
【００２８】
表示制御部２０２は、被験者に対する設問となる設問情報を表示画面１０１Ｓに表示する第１表示動作と、被験者の注視点を目標位置に誘導する誘導対象物を前記表示画面に表示する第２表示動作と、第２表示動作の後に設問に対する回答となる複数の回答対象物を表示画面１０１Ｓの誘導位置と重ならない位置に配置して表示する第３表示動作と、を含む表示動作を行う。設問情報は、文字、図柄等を含む。誘導対象物は、表示画面１０１Ｓ上において所望の位置に注視点を誘導するためのアイキャッチ映像等を含む。アイキャッチ映像は、被験者が評価用画像の目標位置から見始めるようにするものである。目標位置は、評価用画像の表示開始時に、被験者を注視させたい評価用画像内の位置を設定可能である。複数の回答対象物は、例えば設問の正解となる特定対象物と、当該特定対象物とは異なる比較対象物とを含む。上記の設問情報、誘導対象物、回答対象物は、例えば被験者に視認させる評価用映像又は評価用画像に含まれている。表示制御部２０２は、このような評価用映像又は評価用画像を表示画面１０１Ｓに表示する。
【００２９】
光源制御部２０４は、光源駆動部４０６を制御して、第１光源１０３Ａ及び第２光源１０３Ｂの作動状態を制御する。光源制御部２０４は、第１光源１０３Ａと第２光源１０３Ｂとが異なるタイミングで検出光を射出するように第１光源１０３Ａ及び第２光源１０３Ｂを制御する。
【００３０】
画像データ取得部２０６は、第１カメラ１０２Ａ及び第２カメラ１０２Ｂを含むステレオカメラ装置１０２によって撮影された被験者の眼球１１１の画像データを、入出力部３０２を介してステレオカメラ装置１０２から取得する。
【００３１】
入力データ取得部２０８は、入力装置６０が操作されることにより生成された入力データを、入出力部３０２を介して入力装置６０から取得する。
【００３２】
位置検出部２１０は、画像データ取得部２０６で取得された眼球１１１の画像データに基づいて、瞳孔中心の位置データを検出する。また、位置検出部２１０は、画像データ取得部２０６で取得された眼球１１１の画像データに基づいて、角膜反射中心の位置データを検出する。瞳孔中心は、瞳孔１１２の中心である。角膜反射中心は、角膜反射像１１３の中心である。位置検出部２１０は、被験者の左右それぞれの眼球１１１について、瞳孔中心の位置データ及び角膜反射中心の位置データを検出する。
【００３３】
曲率中心算出部２１２は、画像データ取得部２０６で取得された眼球１１１の画像データに基づいて、眼球１１１の角膜曲率中心の位置データを算出する。
【００３４】
注視点検出部２１４は、画像データ取得部２０６で取得された眼球１１１の画像データに基づいて、被験者の注視点の位置データを検出する。本実施形態において、注視点の位置データとは、三次元グローバル座標系で規定される被験者の視線ベクトルと表示装置１０１の表示画面１０１Ｓとの交点の位置データをいう。注視点検出部２１４は、眼球１１１の画像データから取得された瞳孔中心の位置データ及び角膜曲率中心の位置データに基づいて、被験者の左右それぞれの眼球１１１の視線ベクトルを検出する。視線ベクトルが検出された後、注視点検出部２１４は、視線ベクトルと表示画面１０１Ｓとの交点を示す注視点の位置データを検出する。
【００３５】
領域設定部２１６は、第３表示動作が行われる表示期間において、表示装置１０１の表示画面１０１Ｓのうち特定対象物に対応した特定領域と、それぞれの比較対象物に対応した比較領域とを設定する。
【００３６】
判定部２１８は、第３表示動作が行われる表示期間において、視点の位置データに基づいて、注視点が特定領域及び比較領域に存在するか否かをそれぞれ判定し、判定データを出力する。判定部２１８は、例えば一定時間毎に注視点が特定領域及び比較領域に存在するか否かを判定する。一定時間としては、例えば第１カメラ１０２Ａ及び第２カメラ１０２Ｂから出力されるフレーム同期信号の周期（例えば２０［ｍｓｅｃ］毎）とすることができる。
【００３７】
演算部２２０は、判定部２１８の判定データに基づいて、表示期間における注視点の移動の経過を示す移動経過データ（注視点データと表記する場合がある）を算出する。移動経過データは、表示期間の開始時点から注視点が最初に特定領域に到達した到達時点までの到達時間データと、注視点が最初に特定領域に到達するまでに複数の比較領域の間で注視点の位置が移動する回数を示す移動回数データと、表示期間に注視点が特定領域または比較領域に存在した存在時間を示す存在時間データと、特定領域及び比較領域のうち表示時間において注視点が最後に存在していた領域を示す最終領域データと、を含む。
【００３８】
なお、演算部２２０は、映像の再生時間を管理する管理タイマと、表示画面１０１Ｓに映像が表示されてからの経過時間を検出する検出タイマＴを有する。演算部２２０は、特定領域について、注視点が存在すると判定された判定回数をカウントするカウンタを有する。
【００３９】
評価部２２４は、移動経過データに基づいて、被験者の評価データを求める。評価データは、表示動作において表示画面１０１Ｓに表示される特定対象物を被験者が注視できているかを評価するデータである。
【００４０】
記憶部２２２は、上記の判定データ、移動経過データ（存在時間データ、移動回数データ、最終領域データ、到達時間データ）、及び評価データを記憶する。また、記憶部２２２は、表示画面に画像を表示する処理と、表示画面を観察する被験者の注視点の位置を検出する処理と、被験者に対する設問となる設問情報を表示画面に表示する第１表示動作と、被験者の注視点を目標位置に誘導する誘導対象物を表示画面に表示する第２表示動作と、第２表示動作の後に設問に対する回答となる複数の回答対象物を表示画面の誘導位置と重ならない位置に配置して表示する第３表示動作と、を含む表示動作を行う処理と、複数の回答対象物のうち特定対象物に対応した特定領域と、特定対象物とは異なる比較対象物に対応した比較領域とを設定する処理と、注視点の位置に基づいて、第３表示動作が行われる表示期間に注視点が特定領域及び比較領域に存在するか否かの判定を行う処理と、判定結果に基づいて、表示期間における注視点データを算出する処理と、注視点データに基づいて、被験者の評価データを求める処理とをコンピュータに実行させる評価プログラムを記憶する。
【００４１】
出力制御部２２６は、表示装置１０１及び出力装置５０の少なくとも一方にデータを出力する。
【００４２】
次に、本実施形態に係る曲率中心算出部２１２の処理の概要について説明する。曲率中心算出部２１２は、眼球１１１の画像データに基づいて、眼球１１１の角膜曲率中心の位置データを算出する。図４及び図５は、本実施形態に係る角膜曲率中心１１０の位置データの算出方法を説明するための模式図である。図４は、１つの光源１０３Ｃで眼球１１１が照明される例を示す。図５は、第１光源１０３Ａ及び第２光源１０３Ｂで眼球１１１が照明される例を示す。
【００４３】
まず、図４に示す例について説明する。光源１０３Ｃは、第１カメラ１０２Ａと第２カメラ１０２Ｂとの間に配置される。瞳孔中心１１２Ｃは、瞳孔１１２の中心である。角膜反射中心１１３Ｃは、角膜反射像１１３の中心である。図４において、瞳孔中心１１２Ｃは、眼球１１１が１つの光源１０３Ｃで照明されたときの瞳孔中心を示す。角膜反射中心１１３Ｃは、眼球１１１が１つの光源１０３Ｃで照明されたときの角膜反射中心を示す。角膜反射中心１１３Ｃは、光源１０３Ｃと角膜曲率中心１１０とを結ぶ直線上に存在する。角膜反射中心１１３Ｃは、角膜表面と角膜曲率中心１１０との中間点に位置付けられる。角膜曲率半径１０９は、角膜表面と角膜曲率中心１１０との距離である。角膜反射中心１１３Ｃの位置データは、ステレオカメラ装置１０２によって検出される。角膜曲率中心１１０は、光源１０３Ｃと角膜反射中心１１３Ｃとを結ぶ直線上に存在する。曲率中心算出部２１２は、その直線上において角膜反射中心１１３Ｃからの距離が所定値となる位置データを、角膜曲率中心１１０の位置データとして算出する。所定値は、一般的な角膜の曲率半径値などから事前に定められた値であり、記憶部２２２に記憶されている。
【００４４】
次に、図５に示す例について説明する。本実施形態においては、第１カメラ１０２Ａ及び第２光源１０３Ｂと、第２カメラ１０２Ｂ及び第１光源１０３Ａとは、第１カメラ１０２Ａと第２カメラ１０２Ｂとの中間位置を通る直線に対して左右対称の位置に配置される。第１カメラ１０２Ａと第２カメラ１０２Ｂとの中間位置に仮想光源１０３Ｖが存在するとみなすことができる。角膜反射中心１２１は、第２カメラ１０２Ｂで眼球１１１を撮影した画像における角膜反射中心を示す。角膜反射中心１２２は、第１カメラ１０２Ａで眼球１１１を撮影した画像における角膜反射中心を示す。角膜反射中心１２４は、仮想光源１０３Ｖに対応する角膜反射中心を示す。角膜反射中心１２４の位置データは、ステレオカメラ装置１０２で撮影された角膜反射中心１２１の位置データ及び角膜反射中心１２２の位置データに基づいて算出される。ステレオカメラ装置１０２は、ステレオカメラ装置１０２に規定される三次元ローカル座標系において角膜反射中心１２１の位置データ及び角膜反射中心１２２の位置データを検出する。ステレオカメラ装置１０２について、事前にステレオ較正法によるカメラ較正が実施され、ステレオカメラ装置１０２の三次元ローカル座標系を三次元グローバル座標系に変換する変換パラメータが算出される。その変換パラメータは、記憶部２２２に記憶されている。曲率中心算出部２１２は、ステレオカメラ装置１０２で撮影された角膜反射中心１２１の位置データ及び角膜反射中心１２２の位置データを、変換パラメータを使って、三次元グローバル座標系における位置データに変換する。曲率中心算出部２１２は、三次元グローバル座標系で規定される角膜反射中心１２１の位置データ及び角膜反射中心１２２の位置データに基づいて、三次元グローバル座標系における角膜反射中心１２４の位置データを算出する。角膜曲率中心１１０は、仮想光源１０３Ｖと角膜反射中心１２４とを結ぶ直線１２３上に存在する。曲率中心算出部２１２は、直線１２３上において角膜反射中心１２４からの距離が所定値となる位置データを、角膜曲率中心１１０の位置データとして算出する。所定値は、一般的な角膜の曲率半径値などから事前に定められた値であり、記憶部２２２に記憶されている。
【００４５】
このように、光源が２つある場合でも、光源が１つである場合の方法と同様の方法で、角膜曲率中心１１０が算出される。
【００４６】
角膜曲率半径１０９は、角膜表面と角膜曲率中心１１０との距離である。したがって、角膜表面の位置データ及び角膜曲率中心１１０の位置データが算出されることにより、角膜曲率半径１０９が算出される。
【００４７】
次に、本実施形態に係る視線検出方法の一例について説明する。図６は、本実施形態に係るキャリブレーション処理の一例を説明するための模式図である。キャリブレーション処理では、被験者に注視させるため、目標位置１３０が設定される。目標位置１３０は、三次元グローバル座標系において規定される。本実施形態において、目標位置１３０は、例えば表示装置１０１の表示画面１０１Ｓの中央位置に設定される。なお、目標位置１３０は、表示画面１０１Ｓの端部位置に設定されてもよい。出力制御部２２６は、設定された目標位置１３０に目標画像を表示する。直線１３１は、仮想光源１０３Ｖと角膜反射中心１１３Ｃとを結ぶ直線である。直線１３２は、目標位置１３０と瞳孔中心１１２Ｃとを結ぶ直線である。角膜曲率中心１１０は、直線１３１と直線１３２との交点である。曲率中心算出部２１２は、仮想光源１０３Ｖの位置データと、目標位置１３０の位置データと、瞳孔中心１１２Ｃの位置データと、角膜反射中心１１３Ｃの位置データとに基づいて、角膜曲率中心１１０の位置データを算出することができる。
【００４８】
次に、注視点検出処理について説明する。注視点検出処理は、キャリブレーション処理の後に実施される。注視点検出部２１４は、眼球１１１の画像データに基づいて、被験者の視線ベクトル及び注視点の位置データを算出する。図７は、本実施形態に係る注視点検出処理の一例を説明するための模式図である。図７において、注視点１６５は、一般的な曲率半径値を用いて算出された角膜曲率中心から求めた注視点を示す。注視点１６６は、キャリブレーション処理で求められた距離１２６を用いて算出された角膜曲率中心から求めた注視点を示す。瞳孔中心１１２Ｃは、キャリブレーション処理において算出された瞳孔中心を示し、角膜反射中心１１３Ｃは、キャリブレーション処理において算出された角膜反射中心を示す。直線１７３は、仮想光源１０３Ｖと角膜反射中心１１３Ｃとを結ぶ直線である。角膜曲率中心１１０は、一般的な曲率半径値から算出した角膜曲率中心の位置である。距離１２６は、キャリブレーション処理により算出した瞳孔中心１１２Ｃと角膜曲率中心１１０との距離である。角膜曲率中心１１０Ｈは、距離１２６を用いて角膜曲率中心１１０を補正した補正後の角膜曲率中心の位置を示す。角膜曲率中心１１０Ｈは、角膜曲率中心１１０が直線１７３上に存在すること、及び瞳孔中心１１２Ｃと角膜曲率中心１１０との距離が距離１２６であることから求められる。これにより、一般的な曲率半径値を用いる場合に算出される視線１７７は、視線１７８に補正される。また、表示装置１０１の表示画面１０１Ｓ上の注視点は、注視点１６５から注視点１６６に補正される。
【００４９】
［評価方法］
次に、本実施形態に係る評価方法について説明する。本実施形態に係る評価方法では、上記の視線検出装置１００を用いることにより、被験者の認知機能障害および脳機能障害を評価する。
【００５０】
図８は、本実施形態に係る評価方法において、表示画面１０１Ｓに表示する設問情報Ｉ１の一例を示す図である。図８に示すように、表示制御部２０２は、第１表示動作として、被験者に対する設問である設問情報Ｉ１を表示画面１０１Ｓに表示する。本実施形態において、設問情報Ｉ１は、立方体の展開図として正しい図柄を注視する旨の設問である。表示制御部２０２は、設問情報Ｉ１として、例えば文章等の文字情報Ｉ１ａと、図柄等の図柄情報Ｉ１ｂとを表示しているが、これに限定されず、文字情報Ｉ１ａのみであってもよい。
【００５１】
表示制御部２０２は、設問情報Ｉ１を表示画面１０１Ｓに表示した後、第２表示動作として、誘導対象物Ｅ１を表示画面１０１Ｓに表示する。図９は、表示画面１０１Ｓに表示する誘導対象物Ｅ１の一例を示す図である。図９に示すように、表示制御部２０２は、第２表示動作において、上記設問情報Ｉ１を表示画面１０１Ｓ内の所定の目標位置Ｐ１に向けて縮小させた誘導対象物Ｅ１の映像を、アイキャッチ映像として表示画面１０１Ｓに表示する。ここでは、目標位置Ｐ１として、表示画面１０１Ｓの中央の位置を設定しているが、これに限定されない。なお、表示制御部２０２は、設問情報Ｉ１を表示画面１０１Ｓに表示した状態で、誘導対象物として設問情報Ｉ１とは異なる対象物を表示画面１０１Ｓに表示し、当該対象物を表示画面１０１Ｓ内の目標位置Ｐ１に向けて縮小させた映像をアイキャッチ映像として表示画面１０１Ｓに表示してもよい。
【００５２】
図１０は、表示画面１０１Ｓに表示する回答対象物の一例を示す図である。図１０に示すように、表示制御部２０２は、第２表示動作を行った後、第３表示動作として、複数の回答対象物Ｍ１〜Ｍ４として、それぞれ６つの正方形が連結された図柄を表示画面１０１Ｓに表示する。表示制御部２０２は、複数の回答対象物Ｍ１〜Ｍ４として、設問情報Ｉ１に対して正解となる特定対象物Ｍ１と、当該特定対象物Ｍ１とは異なり、設問情報Ｉ１に対して不正解となる比較対象物Ｍ２〜Ｍ４とを表示画面１０１Ｓに表示する。
【００５３】
表示制御部２０２は、複数の回答対象物Ｍ１〜Ｍ４を互いに重ならない位置に配置する。また、表示制御部２０２は、誘導位置と重ならない位置に複数の回答対象物Ｍ１〜Ｍ４を配置する。例えば、表示制御部２０２は、誘導位置を中心として複数の回答対象物Ｍ１〜Ｍ４を配置する。本実施形態において、誘導位置は、誘導対象物Ｅ１によって被験者の注視点を誘導する目標位置Ｐ１である。表示制御部２０２は、複数の回答対象物Ｍ１〜Ｍ４を誘導位置である目標位置Ｐ１から等距離となる位置に配置することができる。
【００５４】
図１１は、第３表示動作が行われる表示期間に表示画面１０１Ｓに設定される領域の一例を示す図である。図１１に示すように、第３表示動作が行われる表示期間において、領域設定部２１６は、特定対象物Ｍ１に対応した特定領域Ａを設定する。また、領域設定部２１６は、比較対象物Ｍ２〜Ｍ４のそれぞれに対応した比較領域Ｂ〜Ｄを設定する。領域設定部２１６は、特定対象物Ｍ１の少なくとも一部を含む領域に特定領域Ａを設定することができる。また、領域設定部２１６は、比較対象物Ｍ２〜Ｍ４の少なくとも一部を含む領域にそれぞれ比較領域Ｂ〜Ｄを設定することができる。この場合、領域設定部２１６は、特定領域Ａと比較領域Ｂ〜Ｄとを互いに重ならない位置に設定する。なお、特定領域Ａ及び比較領域Ｂ〜Ｄは、表示画面１０１Ｓには表示されない。
【００５５】
なお、図１１では、表示画面１０１Ｓにおいて、例えば計測後に結果表示される注視点Ｐの一例を示しているが、当該注視点Ｐは、実際には表示画面１０１Ｓには表示されない。注視点の位置データの検出は、例えば第１カメラ１０２Ａ及び第２カメラ１０２Ｂから出力されるフレーム同期信号の周期で（例えば２０［ｍｓｅｃ］毎に）実施される。第１カメラ１０２Ａ及び第２カメラ１０２Ｂは、同期して撮像する。
【００５６】
領域設定部２１６は、設問情報Ｉ１に対して正解となる特定対象物Ｍ１を含む矩形の範囲に特定領域Ａを設定する。同様に、領域設定部２１６は、設問情報Ｉ１に対して不正解となる比較対象物Ｍ２〜Ｍ４を含む矩形の範囲にそれぞれ比較領域Ｂ〜Ｄを設定する。なお、特定領域Ａ、比較領域Ｂ〜Ｄの形状については、矩形に限定されず、円形、楕円形、多角形等、他の形状であってもよい。
【００５７】
認知機能障害および脳機能障害の症状は、被験者の認知能力に影響することが知られている。被験者が認知機能障害および脳機能障害ではない場合、第３表示動作において表示画面１０１Ｓに表示される比較対象物Ｍ２〜Ｍ４を１つ１つ見て、正方形を組み立てることができないと判定し、最終的には特定対象物Ｍ１を発見して注視することができる。また、被験者が認知機能障害および脳機能障害である場合、上記のような組み立てができず、特定対象物Ｍ１を注視できないことがある。一方、回答対象物Ｍ１〜Ｍ４を表示画面１０１Ｓに表示する方式では、第３表示動作の開始時に、被験者の注視点が正解である特定対象物Ｍ１上に偶然配置されてしまう場合がある。このような場合、被験者が認知機能障害および脳機能障害であるか否かに関わらず正解として判定される可能性があるため、被験者を高精度に評価することが困難となる。
【００５８】
このため、例えば以下の手順を行うことにより、被験者を高精度に評価することが可能である。まず、第１表示動作として、表示画面１０１Ｓに設問情報Ｉ１を表示して被験者に確認させる。また、第２表示動作として、誘導対象物を表示画面１０１Ｓに表示して被験者の注視点を目標位置Ｐ１に誘導する。その後、第３表示動作として、誘導位置（目標位置Ｐ１）を中心として複数の回答対象物Ｍ１〜Ｍ４を表示画面１０１Ｓに表示する。
【００５９】
この手順を行うことにより、第３表示動作の開始時に被験者の注視点が複数の回答対象物Ｍ１〜Ｍ４のいずれかに移動または固定されることを抑制できる。これにより、開始時点に被験者が意図しない回答対象物を注視したことと同等となってしまうことを防止する。そのため、被験者が複数の比較対象物Ｍ２〜Ｍ４を１つ１つ注視しているか否か、被験者が最終的に正解となる特定対象物Ｍ１に到達できるか否か、被験者が特定対象物Ｍ１に到達するまでに要する時間の長さはどれだけか、被験者が特定対象物Ｍ１を注視できているか否か、等の観点から被験者を高精度に評価することが可能である。
【００６０】
第３表示動作において、被験者の注視点Ｐの位置データが検出された場合、判定部２１８は、被験者の注視点が特定領域Ａ、及び複数の比較領域Ｂ〜Ｄに存在するかを判定し、判定データを出力する。
【００６１】
演算部２２０は、判定データに基づいて、表示期間における注視点Ｐの移動の経過を示す移動経過データを算出する。演算部２２０は、移動経過データとして、存在時間データと、移動回数データと、最終領域データと、到達時間データとを算出する。
【００６２】
存在時間データは、注視点Ｐが特定領域Ａまたは比較領域Ｂ〜Ｄに存在した存在時間を示す。本実施形態では、判定部２１８により注視点が特定領域Ａまたは比較領域Ｂ〜Ｄに存在すると判定された回数が多いほど、特定領域Ａまたは比較領域Ｂ〜Ｄに注視点Ｐが存在した存在時間が長いと推定することができる。したがって、存在時間データは、特定領域Ａまたは比較領域Ｂ〜Ｄに注視点が存在すると判定部２１８に判定された回数とすることができる。つまり、演算部２２０は、カウンタにおけるカウント値ＣＮＴＡ、ＣＮＴＢ、ＣＮＴＣ、ＣＮＴＤを存在時間データとすることができる。
【００６３】
また、移動回数データは、注視点Ｐが最初に特定領域Ａに到達するまでに複数の比較領域Ｂ〜Ｄの間で注視点Ｐの位置が移動する移動回数を示す。したがって、演算部２２０は、特定領域Ａ及び比較領域Ｂ〜Ｄの領域間で注視点Ｐが何回移動したかをカウントし、注視点Ｐが特定領域Ａに到達するまでのカウント結果を移動回数データとすることができる。
【００６４】
また、最終領域データは、特定領域Ａ及び比較領域Ｂ〜Ｄのうち表示時間において注視点Ｐが最後に存在していた領域、つまり被験者が回答として最後に注視していた領域を示す。演算部２２０は、注視点Ｐが存在する領域を当該注視点Ｐの検出毎に更新することにより、表示期間が終了した時点における検出結果を最終領域データとすることができる。
【００６５】
また、到達時間データは、表示期間の開始時点から注視点が特定領域Ａに最初に到達した到達時点までの時間を示す。したがって、演算部２２０は、表示期間の開始からの経過時間をタイマＴによって測定し、注視点が最初に特定領域Ａに到達した時点でフラグ値を１としてタイマＴの測定値を検出することで、当該タイマＴの検出結果を到達時間データとすることができる。
【００６６】
本実施形態において、評価部２２４は、存在時間データ、移動回数データ、最終領域データ、及び到達時間データに基づいて評価データを求める。
【００６７】
ここで、最終領域データのデータ値をＤ１、特定領域Ａの存在時間データのデータ値をＤ２、到達時間データのデータ値をＤ３、移動回数データのデータ値をＤ４とする。ただし、最終領域データのデータ値Ｄ１は、被験者の最終的な注視点Ｐが特定領域Ａに存在していれば（つまり、正解であれば）１、特定領域Ａに存在していなければ（つまり、不正解であれば）０とする。また、存在時間データのデータ値Ｄ２は、特定領域Ａに注視点Ｐが存在した秒数とする。なお、データ値Ｄ２は、表示期間よりも短い秒数の上限値が設けられてもよい。また、到達時間データのデータ値Ｄ３は、到達時間の逆数（例えば、１／（到達時間）÷１０）（１０：到達時間の最小値を０．１秒として到達時間評価値を１以下とするための係数）とする。また、移動回数データのデータ値Ｄ４は、カウンタ値をそのまま用いることとする。なお、データ値Ｄ４は、適宜上限値が設けられてもよい。
【００６８】
この場合、評価値ＡＮＳは、例えば、
ＡＮＳ＝Ｄ１・Ｋ１＋Ｄ２・Ｋ２＋Ｄ３・Ｋ３＋Ｄ４・Ｋ４
と表すことができる。なお、Ｋ１〜Ｋ４は、重みづけのための定数である。定数Ｋ１〜Ｋ４については、適宜設定することができる。
【００６９】
上記式で示される評価値ＡＮＳは、最終領域データのデータ値Ｄ１が１である場合、存在時間データのデータ値Ｄ２が大きい場合、到達時間データのデータ値Ｄ３が小さい場合、移動回数データのデータ値Ｄ４の値が大きい場合に、値が大きくなる。つまり、最終的な注視点Ｐが特定領域Ａに存在し、特定領域Ａにおける注視点Ｐの存在時間が長く、表示期間の開始時点から特定領域Ａに注視点Ｐが到達する到達時間が短く、注視点Ｐが各領域を移動する移動回数が多いほど、評価値ＡＮＳが大きくなる。
【００７０】
一方、評価値ＡＮＳは、最終領域データのデータ値Ｄ１が０である場合、存在時間データのデータ値Ｄ２が小さい場合、到達時間データのデータ値Ｄ３が大きい場合、移動回数データのデータ値Ｄ４が小さい場合に、値が小さくなる。つまり、最終的な注視点Ｐが特定領域Ａに存在せず、特定領域Ａにおける注視点Ｐの存在時間が短く、表示期間の開始時点から特定領域Ａに注視点Ｐが到達する到達時間が長く、注視点Ｐが各領域を移動する移動回数が少ないほど、評価値ＡＮＳが小さくなる。
【００７１】
したがって、評価部２２４は、評価値ＡＮＳが所定値以上か否かを判断することで評価データを求めることができる。例えば評価値ＡＮＳが所定値以上である場合、被験者が認知機能障害および脳機能障害である可能性は低いと評価することができる。また、評価値ＡＮＳが所定値未満である場合、被験者が認知機能障害および脳機能障害である可能性は高いと評価することができる。
【００７２】
なお、評価部２２４は、上記した注視点データのうち少なくとも１つのデータに基づいて、被験者の評価値を求めてもよい。例えば、評価部２２４は、特定領域Ａの存在時間データＣＮＴＡについて所定値以上であれば、被験者が認知機能障害および脳機能障害者である可能性が低いと評価することができる。また、評価部２２４は、比較領域Ｂ〜Ｄの存在時間データＣＮＴＢ、ＣＮＴＣ、ＣＮＴＤを用いて評価を行ってもよい。この場合、評価部２２４は、例えば特定領域Ａの存在時間データＣＮＴＡと比較領域Ｂ〜Ｄの存在時間データＣＮＴＢ、ＣＮＴＣ、ＣＮＴＤの合計の比（特定領域Ａ及び比較領域Ｂ〜Ｄの注視率の割合）が所定値以上であれば、被験者が認知機能障害および脳機能障害者である可能性が低いと評価することができる。また、評価部２２４は、特定領域Ａの存在時間データＣＮＴＡと全体の注視時間の比（特定領域Ａの注視時間と全体の注視時間の割合）が所定値以上であれば、被験者が認知機能障害および脳機能障害者である可能性が低いと評価することができる。また、評価部２２４は、最終領域が特定領域Ａであれば、被験者が認知機能障害および脳機能障害者である可能性が低く、最終領域が比較領域Ｂ〜Ｄであれば、被験者が認知機能障害および脳機能障害者である可能性が高いと評価することができる。
【００７３】
また、評価部２２４は、評価値ＡＮＳの値を記憶部２２２に記憶させておくことができる。例えば、同一の被験者についての評価値ＡＮＳを累積的に記憶し、過去の評価値と比較した場合の評価を行ってもよい。例えば、評価値ＡＮＳが過去の評価値よりも高い値となった場合、脳機能が前回の評価に比べて改善されている旨の評価を行うことができる。また、評価値ＡＮＳの累積値が徐々に高くなっている場合等には、脳機能が徐々に改善されている旨の評価を行うことができる。
【００７４】
また、評価部２２４は、存在時間データ、移動回数データ、最終領域データ、及び到達時間データを個別又は複数組み合わせて評価を行ってもよい。例えば、多くの対象物を見ている間に、偶発的に特定領域Ａに注視点Ｐが到達した場合には、移動回数データのデータ値Ｄ４は小さくなる。この場合には、上述した存在時間データのデータ値Ｄ２と併せて評価を行うことができる。例えば、移動回数が少ない場合であっても存在時間が長い場合には、正解となる特定領域Ａを注視できていると評価することができる。また、移動回数が少ない場合であって存在時間も短い場合、偶発的に注視点Ｐが特定領域Ａを通過したものがあると評価することができる。
【００７５】
また、移動回数が少ない場合において、最終領域が特定領域Ａであれば、例えば正解の特定領域Ａに注視点移動が少なくて到達したと評価することができる。一方、上述した移動回数が少ない場合において、最終領域が特定領域Ａでなければ、例えば偶発的に注視点Ｐが特定領域Ａを通過したものあると評価することができる。
【００７６】
本実施形態において、出力制御部２２６は、評価部２２４が評価データを出力した場合、評価データに応じて、例えば「被験者は認知機能障害および脳機能障害である可能性が低いと思われます」の文字データや、「被験者は認知機能障害および脳機能障害である可能性が高いと思われます」の文字データ等を出力装置５０に出力させることができる。また、出力制御部２２６は、同一の被験者についての評価値ＡＮＳが過去の評価値ＡＮＳに比べて高くなっている場合、「脳機能が改善されています」等の文字データ等を出力装置５０に出力させることができる。
【００７７】
図１２は、表示画面１０１Ｓに表示する設問情報Ｉ２の一例を示す図である。図１２に示すように、表示制御部２０２は、第１表示動作において、文字情報Ｉ２ａ及び図柄情報Ｉ２ｂを含む設問情報Ｉ２を表示画面１０１Ｓに表示する。図１２に示す例において、設問情報Ｉ２は、図柄情報Ｉ２ｂとして示す図柄の中に存在する三角形の個数を求め、正しい数値を注視する旨の質問である。この場合、表示制御部２０２は、設問情報Ｉ２として、文字情報Ｉ２ａ及び図柄情報Ｉ２ｂの両方を表示する。
【００７８】
図１３は、表示画面１０１Ｓに表示する誘導対象物Ｅ２の一例を示す図である。図１３に示すように、表示制御部２０２は、第２表示動作において、設問情報Ｉ２のうち図柄情報Ｉ２ｂのみを目標位置Ｐ１に向けて縮小させた誘導対象物Ｅ２の映像を、アイキャッチ映像として表示画面１０１Ｓに表示する。このように、表示制御部２０２は、設問情報Ｉ２のうち一部の情報を誘導対象物Ｅ２として用いることができる。
【００７９】
図１４は、表示画面１０１Ｓに表示する回答対象物の一例を示す図である。図１４に示すように、表示制御部２０２は、第３表示動作として、それぞれ「９」〜「１６」の数値を示す複数の回答対象物Ｍ５〜Ｍ８を表示画面１０１Ｓに表示する。表示制御部２０２は、複数の回答対象物Ｍ５〜Ｍ８として、設問情報Ｉ２に対して正解となる特定対象物Ｍ５と、当該特定対象物Ｍ５とは異なり、設問情報Ｉ２に対して不正解となる比較対象物Ｍ６〜Ｍ８とを表示画面１０１Ｓに表示する。
【００８０】
この場合においても、表示制御部２０２は、複数の回答対象物Ｍ５〜Ｍ８を互いに重ならない位置に配置する。また、表示制御部２０２は、誘導位置と重ならない位置に複数の回答対象物Ｍ５〜Ｍ８を配置する。例えば、表示制御部２０２は、誘導位置である目標位置Ｐ１を中心として複数の回答対象物Ｍ５〜Ｍ８を配置する。表示制御部２０２は、複数の回答対象物Ｍ５〜Ｍ８を誘導位置である目標位置Ｐ１から等距離となる位置に放射状に配置することができる。例えば、表示制御部２０２は、複数の回答対象物Ｍ５〜Ｍ８を、目標位置Ｐ１を中心とした同一円周上に等ピッチで配置することができる。
【００８１】
図１５は、第３表示動作が行われる表示期間に表示画面１０１Ｓに設定される領域の一例を示す図である。図１５に示すように、第３表示動作が行われる表示期間において、領域設定部２１６は、特定対象物Ｍ５に対応した特定領域Ａを設定する。また、領域設定部２１６は、比較対象物Ｍ６〜Ｍ８のそれぞれに対応した比較領域Ｂ〜Ｄを設定する。この場合、領域設定部２１６は、特定領域Ａと比較領域Ｂ〜Ｄとを互いに重ならない位置に設定する。
【００８２】
領域設定部２１６は、正解となる特定対象物Ｍ５が示す数値「１３」を基準として、例えば１つ違いの数値「１４」を示す比較対象物Ｍ６ａ、及び「１２」を示す比較対象物Ｍ６ｂについては、比較領域Ｂとする。また、２つ違いの数値「１５」を示す比較対象物Ｍ７ａ及び「１１」を示す比較対象物Ｍ７ｂについては、比較領域Ｃとする。また、３つ以上違いの数値「１６」を示す比較対象物Ｍ８ａ、「１０」を示す比較対象物Ｍ８ｂ、及び「９」を示す比較対象物Ｍ８ｃについては、比較領域Ｄとする。
【００８３】
この設定では、評価においてデータ値Ｄ１を求める際、被験者の最終的な注視点Ｐが特定領域Ａに存在していない場合にデータ値Ｄ１を０にするのではなく、正解に近い数値を回答した順に一定のデータ値を付与することができる。例えば、被験者の最終的な注視点Ｐが比較領域Ｂに存在している場合には０．６、被験者の最終的な注視点Ｐが比較領域Ｃに存在している場合には０．２、被験者の最終的な注視点Ｐが比較領域Ｄに存在している場合には０、というようにデータ値Ｄ１を求めるようにしてもよい。
【００８４】
図１６は、表示画面１０１Ｓに表示する誘導対象物Ｅ２の他の表示例を示す図である。図１６に示すように、表示制御部２０２は、表示画面１０１Ｓの中央からずれた位置に目標位置Ｐ１ａを設定してもよい。この場合、表示制御部２０２は、第２表示動作において、設問情報Ｉ２のうち図柄情報Ｉ２ｂのみを目標位置Ｐ１ａに向けて縮小させた誘導対象物Ｅ２の映像を、アイキャッチ映像として表示画面１０１Ｓに表示する。
【００８５】
図１７は、表示画面１０１Ｓに表示する回答対象物の他の表示例を示す図である。図１７に示すように、表示制御部２０２は、第３表示動作として、複数の回答対象物Ｍ９〜Ｍ１２を表示画面１０１Ｓに表示する。表示制御部２０２は、複数の回答対象物Ｍ９〜Ｍ１２として、設問情報Ｉ２に対して正解となる特定対象物Ｍ９と、当該特定対象物Ｍ９とは異なり、設問情報Ｉ２に対して不正解となる比較対象物Ｍ１０〜Ｍ１２とを表示画面１０１Ｓに表示する。
【００８６】
表示制御部２０２は、上記同様に、複数の回答対象物Ｍ９〜Ｍ１２を互いに重ならない位置に配置する。また、表示制御部２０２は、誘導位置と重ならない位置に複数の回答対象物Ｍ９〜Ｍ１２を配置する。例えば、表示制御部２０２は、誘導位置である目標位置Ｐ１ａを中心として複数の回答対象物Ｍ９〜Ｍ１２を配置する。表示制御部２０２は、複数の回答対象物Ｍ９〜Ｍ１２を誘導位置である目標位置Ｐ１ａから等距離となる位置に配置することができる。例えば、表示制御部２０２は、複数の回答対象物Ｍ９〜Ｍ１２を、目標位置Ｐ１ａを中心とした円弧Ｒ上に等ピッチで配置することができる。また、図１７に示すように、第３表示動作が行われる表示期間において、領域設定部２１６は、特定対象物Ｍ９に対応した特定領域Ａを設定する。また、領域設定部２１６は、比較対象物Ｍ１０〜Ｍ１２のそれぞれに対応した比較領域Ｂ〜Ｄを設定する。この場合、領域設定部２１６は、特定領域Ａと比較領域Ｂ〜Ｄとを互いに重ならない位置に設定する。
【００８７】
図１８は、表示画面１０１Ｓに表示する指示情報の一例を示す図である。図１８に示すように、表示制御部２０２は、第１表示動作を行う前に、被験者に対して設問情報の前提となる情報を記憶させるように指示する指示情報Ｉ３を表示することができる。指示情報Ｉ３は、人物の顔を示す画像情報Ｉ３ｂと、当該画像情報Ｉ３ｂで示された人物の顔を記憶するように指示する文字情報Ｉ３ａとを含む。
【００８８】
図１９は、表示画面１０１Ｓに表示する設問情報の一例を示す図である。図１９に示すように、表示制御部２０２は、指示情報Ｉ３を一定時間表示した後、第１表示動作として、被験者に対する設問情報Ｉ４を表示する。図１９に示す例において、設問情報Ｉ４は、画像情報Ｉ３ｂで示された人物の顔と同一人物を注視する旨の質問である。設問情報Ｉ４は、上記の質問内容を示す文字情報Ｉ４ａと、画像情報Ｉ３ｂと同一の画像である画像情報Ｉ４ｂとを含む。
【００８９】
図２０は、表示画面１０１Ｓに表示する誘導対象物Ｅ３の一例を示す図である。図２０に示すように、表示制御部２０２は、第２表示動作において、設問情報Ｉ４のうち画像情報Ｉ４ｂのみを目標位置Ｐ１に向けて縮小させた誘導対象物Ｅ３の映像を、アイキャッチ映像として表示画面１０１Ｓに表示する。このように、表示制御部２０２は、設問情報Ｉ４のうち一部の情報を誘導対象物Ｅ３として用いることができる。
【００９０】
図２１は、表示画面１０１Ｓに表示する回答対象物の一例を示す図である。図２１に示すように、表示制御部２０２は、第３表示動作として、それぞれ異なる人物の顔の画像を示す複数の回答対象物Ｍ１３〜Ｍ１６を表示画面１０１Ｓに表示する。表示制御部２０２は、複数の回答対象物Ｍ１３〜Ｍ１６として、設問情報Ｉ４に対して正解となる特定対象物Ｍ１３と、当該特定対象物Ｍ１３とは異なり、設問情報Ｉ４に対して不正解となる比較対象物Ｍ１４〜Ｍ１６とを表示画面１０１Ｓに表示する。なお、正解となる特定対象物Ｍ１３の画像は、上記の画像情報Ｉ３ｂ及び画像情報Ｉ４ｂの画像と同一の画像である。表示制御部２０２は、複数の回答対象物Ｍ１３〜Ｍ１６を互いに重ならない位置に配置する。また、表示制御部２０２は、誘導位置と重ならない位置に複数の回答対象物Ｍ１３〜Ｍ１６を配置する。例えば、表示制御部２０２は、誘導位置を中心として複数の回答対象物Ｍ１３〜Ｍ１６を配置する。本実施形態において、誘導位置は、誘導対象物Ｅ３によって被験者の注視点を誘導する目標位置Ｐ１である。表示制御部２０２は、複数の回答対象物Ｍ１３〜Ｍ１６を誘導位置である目標位置Ｐ１から等距離となる位置に配置することができる。
【００９１】
また、図２１には、第３表示動作が行われる表示期間に表示画面１０１Ｓに設定される領域の例が併せて示されている。図２１に示すように、第３表示動作が行われる表示期間において、領域設定部２１６は、特定対象物Ｍ１３に対応した特定領域Ａを設定する。また、領域設定部２１６は、比較対象物Ｍ１４〜Ｍ１６のそれぞれに対応した比較領域Ｂ〜Ｄを設定する。この場合、領域設定部２１６は、特定領域Ａと比較領域Ｂ〜Ｄとを互いに重ならない位置に設定する。
【００９２】
認知機能障害および脳機能障害の症状は、記憶力に影響することが知られている。被験者が認知機能障害および脳機能障害ではない場合、第３表示動作において表示画面１０１Ｓに表示される比較対象物Ｍ１４〜Ｍ１６を１つ１つ見て、第１表示動作において記憶した画像情報Ｉ４ｂの人物と比べた上で同一ではないと判定し、最終的には特定対象物Ｍ１３を発見して注視することができる。一方、被験者が認知機能障害および脳機能障害である場合、特定対象物Ｍ１３を記憶することができない場合、または記憶しても直ぐに忘れてしまう場合がある。そのため、上記のような比較ができず、特定対象物Ｍ１３を注視できないことがある。本実施形態では、第３表示動作の開始時に被験者の注視点が複数の回答対象物Ｍ１３〜Ｍ１６のいずれかに移動または固定されることを抑制できるため、被験者の記憶力を高精度に評価することが可能である。
【００９３】
図２２は、表示画面１０１Ｓに表示する回答対象物の他の表示例を示す図である。図２２に示すように、表示制御部２０２は、誘導位置である目標位置Ｐ１から等距離となる位置に放射状に複数の回答対象物Ｍ１７〜Ｍ２０を配置することができる。例えば、表示制御部２０２は、複数の回答対象物Ｍ１７〜Ｍ２０を、目標位置Ｐ１を中心とした同一円周上に等ピッチで配置することができる。また、図２２には、第３表示動作が行われる表示期間に表示画面１０１Ｓに設定される領域の例が併せて示されている。図２２に示すように、領域設定部２１６は、特定対象物Ｍ１７に対応した特定領域Ａを設定する。また、領域設定部２１６は、正解となる特定対象物Ｍ１７の特性（性別、表情等）を基準として、例えば性別が特定対象物Ｍ１７と同じ女性である比較対象物Ｍ１８については、比較領域Ｂとする。また、性別が男性であるがまゆ毛や鼻の形など、表情に比較的共通点が多い比較対象物Ｍ１９については、比較領域Ｃとする。また、性別が男性であり表情に共通点が少ない比較対象物Ｍ２０（Ｍ２０ａ〜Ｍ２０ｃ）については、比較領域Ｄとする。この場合、領域設定部２１６は、特定領域Ａと比較領域Ｂ〜Ｄとを互いに重ならない位置に設定する。
【００９４】
この設定では、評価においてデータ値Ｄ１を求める際、被験者の最終的な注視点Ｐが特定領域Ａに存在していない場合にデータ値Ｄ１を０にするのではなく、正解に近い数値を回答した順に一定のデータ値を付与することができる。例えば、被験者の最終的な注視点Ｐが比較領域Ｂに存在している場合には０．６、被験者の最終的な注視点Ｐが比較領域Ｃに存在している場合には０．２、被験者の最終的な注視点Ｐが比較領域Ｄに存在している場合には０、というようにデータ値Ｄ１を求めるようにしてもよい。
【００９５】
次に、本実施形態に係る評価方法の一例について、図２３を参照しながら説明する。図２３は、本実施形態に係る評価方法の一例を示すフローチャートである。本実施形態においては、表示制御部２０２は、映像の再生を開始させる（ステップＳ１０１）。評価用映像部分までの待ち時間を経過した後（ステップＳ１０２）、タイマＴをリセットし（ステップＳ１０３）、カウンタのカウント値ＣＮＴＡをリセットし（ステップＳ１０４）、フラグ値を０にする（ステップＳ１０５）。
【００９６】
注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ１０６）。位置データが検出された場合（ステップＳ１０７のＮｏ）、判定部２１８は、位置データに基づいて注視点Ｐが存在する領域を判定する（ステップＳ１０８）。また、位置データが検出されない場合（ステップＳ１０７のＹｅｓ）、後述するステップＳ１３０以降の処理を行う。
【００９７】
注視点Ｐが特定領域Ａに存在すると判定された場合（ステップＳ１０９のＹｅｓ）、演算部２２０は、フラグ値が１であるか否か、つまり、注視点Ｐが特定領域Ａに到達したのが最初か否か（１:到達済み、０:未到達）を判定する（ステップＳ１１０）。フラグ値が１である場合（ステップＳ１１０のＹｅｓ）、演算部２２０は、以下のステップＳ１１１からステップＳ１１３を飛ばして後述するステップＳ１１４の処理を行う。
【００９８】
また、フラグ値が１ではない場合、つまり、特定領域Ａに注視点Ｐが到達したのが最初である場合（ステップＳ１１０のＮｏ）、演算部２２０は、タイマＴの計測結果を到達時間データとして抽出する（ステップＳ１１１）。また、演算部２２０は、特定領域Ａに到達するまでに注視点Ｐが領域間の移動を何回行ったかを示す移動回数データを記憶部２２２に記憶させる（ステップＳ１１２）。その後、演算部２２０は、フラグ値を１に変更する（ステップＳ１１３）。
【００９９】
次に、演算部２２０は、直近の検出において注視点Ｐが存在した領域、つまり最終領域が特定領域Ａであるか否かを判定する（ステップＳ１１４）。演算部２２０は、最終領域が特定領域Ａであると判定した場合（ステップＳ１１４のＹｅｓ）、以下のステップＳ１１５及びステップＳ１１６を飛ばして後述するステップＳ１１７の処理を行う。また、最終領域が特定領域Ａではないと判定した場合（ステップＳ１１４のＮｏ）、演算部２２０は、注視点Ｐが領域間で何回移動したかを示す積算回数を＋１とし（ステップＳ１１５）、最終領域を特定領域Ａに変更する（ステップＳ１１６）。また、演算部２２０は、特定領域Ａでの存在時間データを示すカウント値ＣＮＴＡを＋１とする（ステップＳ１１７）。その後、演算部２２０は、後述するステップＳ１３０以降の処理を行う。
【０１００】
また、注視点Ｐが特定領域Ａに存在しないと判定された場合（ステップＳ１０９のＮｏ）、演算部２２０は、注視点Ｐが比較領域Ｂに存在するか否かを判定する（ステップＳ１１８）。注視点Ｐが比較領域Ｂに存在すると判定された場合（ステップＳ１１８のＹｅｓ）、演算部２２０は、直近の検出において注視点Ｐが存在した領域、つまり最終領域が比較領域Ｂであるか否かを判定する（ステップＳ１１９）。演算部２２０は、最終領域が比較領域Ｂであると判定した場合（ステップＳ１１９のＹｅｓ）、以下のステップＳ１２０及びステップＳ１２１を飛ばして後述するステップＳ１３０の処理を行う。また、最終領域が比較領域Ｂではないと判定した場合（ステップＳ１１９のＮｏ）、演算部２２０は、注視点Ｐが領域間で何回移動したかを示す積算回数を＋１とし（ステップＳ１２０）、最終領域を比較領域Ｂに変更する（ステップＳ１２１）。その後、演算部２２０は、後述するステップＳ１３０以降の処理を行う。
【０１０１】
また、注視点Ｐが比較領域Ｂに存在しないと判定された場合（ステップＳ１１８のＮｏ）、演算部２２０は、注視点Ｐが比較領域Ｃに存在するか否かを判定する（ステップＳ１２２）。注視点Ｐが比較領域Ｃに存在すると判定された場合（ステップＳ１２２のＹｅｓ）、演算部２２０は、直近の検出において注視点Ｐが存在した領域、つまり最終領域が比較領域Ｃであるか否かを判定する（ステップＳ１２３）。演算部２２０は、最終領域が比較領域Ｃであると判定した場合（ステップＳ１２３のＹｅｓ）、以下のステップＳ１２４及びステップＳ１２５を飛ばして後述するステップＳ１３０の処理を行う。また、最終領域が比較領域Ｃではないと判定した場合（ステップＳ１２３のＮｏ）、演算部２２０は、注視点Ｐが領域間で何回移動したかを示す積算回数を＋１とし（ステップＳ１２４）、最終領域を比較領域Ｃに変更する（ステップＳ１２５）。その後、演算部２２０は、後述するステップＳ１３０以降の処理を行う。
【０１０２】
また、注視点Ｐが比較領域Ｃに存在しないと判定された場合（ステップＳ１２２のＮｏ）、演算部２２０は、注視点Ｐが比較領域Ｄに存在するか否かを判定する（ステップＳ１２６）。注視点Ｐが比較領域Ｄに存在すると判定された場合（ステップＳ１２６のＹｅｓ）、演算部２２０は、直近の検出において注視点Ｐが存在した領域、つまり最終領域が比較領域Ｄであるか否かを判定する（ステップＳ１２７）。また、注視点Ｐが比較領域Ｄに存在しないと判定された場合（ステップＳ１２６のＮｏ）、後述するステップＳ１３０の処理を行う。また、演算部２２０は、最終領域が比較領域Ｄであると判定した場合（ステップＳ１２７のＹｅｓ）、以下のステップＳ１２８及びステップＳ１２９を飛ばして後述するステップＳ１３０の処理を行う。また、最終領域が比較領域Ｄではないと判定した場合（ステップＳ１２７のＮｏ）、演算部２２０は、注視点Ｐが領域間で何回移動したかを示す積算回数を＋１とし（ステップＳ１２８）、最終領域を比較領域Ｄに変更する（ステップＳ１２９）。その後、演算部２２０は、後述するステップＳ１３０以降の処理を行う。
【０１０３】
その後、演算部２２０は、検出タイマＴの検出結果に基づいて、映像の再生が完了する時刻に到達したか否かを判断する（ステップＳ１３０）。演算部２２０により映像の再生が完了する時刻に到達していないと判断された場合（ステップＳ１３０のＮｏ）、上記のステップＳ１０６以降の処理を繰り返し行う。
【０１０４】
演算部２２０により映像の再生が完了する時刻に到達したと判断された場合（ステップＳ１３０のＹｅｓ）、表示制御部２０２は、映像の再生を停止させる（ステップＳ１３１）。映像の再生が停止された後、評価部２２４は、上記の処理結果から得られる存在時間データと、移動回数データと、最終領域データと、到達時間データに基づいて、評価値ＡＮＳを算出し（ステップＳ１３２）、評価値ＡＮＳに基づいて評価データを求める。その後、出力制御部２２６は、評価部２２４で求められた評価データを出力する（ステップＳ１３３）。
【０１０５】
以上のように、本実施形態に係る評価装置は、表示画面１０１Ｓと、表示画面１０１Ｓに表示される画像を観察する被験者の注視点の位置を検出する注視点検出部２１４と、被験者に対する設問となる設問情報を表示画面１０１Ｓに表示する第１表示動作と、被験者の注視点Ｐを所定の目標位置Ｐ１に誘導する誘導対象物を表示画面１０１Ｓに表示する第２表示動作と、第２表示動作の後に設問に対する回答となる複数の回答対象物を表示画面１０１Ｓの誘導位置と重ならない位置に配置して表示する第３表示動作と、を含む表示動作を行う表示制御部２０２と、複数の回答対象物のうち特定対象物に対応した特定領域Ａと、特定対象物とは異なる比較対象物に対応した比較領域Ｂ〜Ｄとを設定する領域設定部２１６と、注視点Ｐの位置に基づいて、第３表示動作が行われる表示期間に注視点Ｐが特定領域Ａ及び比較領域Ｂ〜Ｄに存在するか否かの判定を行う判定部２１８と、判定結果に基づいて、表示期間における注視点データを算出する演算部２２０と、注視点データに基づいて、被験者の評価データを求める評価部２２４とを備える。
【０１０６】
また、本実施形態に係る評価方法は、表示画面１０１Ｓに表示される画像を観察する被験者の注視点の位置を検出することと、被験者に対する設問となる設問情報を表示画面１０１Ｓに表示する第１表示動作と、被験者の注視点Ｐを所定の目標位置Ｐ１に誘導する誘導対象物を表示画面１０１Ｓに表示する第２表示動作と、第２表示動作の後に設問に対する回答となる複数の回答対象物を表示画面１０１Ｓの誘導位置と重ならない位置に配置して表示する第３表示動作と、を含む表示動作を行うことと、複数の回答対象物のうち特定対象物に対応した特定領域Ａと、特定対象物とは異なる比較対象物に対応した比較領域Ｂ〜Ｄとを設定することと、注視点Ｐの位置に基づいて、第３表示動作が行われる表示期間に注視点Ｐが特定領域Ａ及び比較領域Ｂ〜Ｄに存在するか否かの判定を行うことと、判定結果に基づいて、表示期間における注視点データを算出することと、注視点データに基づいて、被験者の評価データを求めることとを含む。
【０１０７】
また、本実施形態に係る評価プログラムは、表示画面１０１Ｓに表示される画像を観察する被験者の注視点の位置を検出する処理と、被験者に対する設問となる設問情報を表示画面１０１Ｓに表示する第１表示動作と、被験者の注視点Ｐを所定の目標位置Ｐ１に誘導する誘導対象物を表示画面１０１Ｓに表示する第２表示動作と、第２表示動作の後に設問に対する回答となる複数の回答対象物を表示画面１０１Ｓの誘導位置と重ならない位置に配置して表示する第３表示動作と、を含む表示動作を行う処理と、複数の回答対象物のうち特定対象物に対応した特定領域Ａと、特定対象物とは異なる比較対象物に対応した比較領域Ｂ〜Ｄとを設定する処理と、注視点Ｐの位置に基づいて、第３表示動作が行われる表示期間に注視点Ｐが特定領域Ａ及び比較領域Ｂ〜Ｄに存在するか否かの判定を行う処理と、判定結果に基づいて、表示期間における注視点データを算出する処理と、注視点データに基づいて、被験者の評価データを求める処理とをコンピュータに実行させる。
【０１０８】
本実施形態によれば、第３表示動作の開始時に被験者の注視点が複数の回答対象物のいずれかに移動または固定されることを抑制できるため、偶然性を低減することができ、被験者を精度よく評価することができる。また、表示期間における注視点の移動の経過に基づいて、被験者の評価データを求めることができるため、被験者をより高精度に評価することができる。これにより、評価装置１００は、被験者の評価を高精度に行うことが可能となる。
【０１０９】
また、本実施形態に係る評価装置１００において、領域設定部２１６は、特定領域Ａと比較領域Ｂ〜Ｄとを互いに重ならない位置に設定する。これにより、被験者の回答を高精度に判別可能となるため、被験者をより高精度に評価することができる。
【０１１０】
また、本実施形態に係る評価装置１００において、表示制御部２０２は、複数の回答対象物を誘導位置から等距離となる位置に配置する。これにより、偶然性をより低減することができ、被験者の回答を高精度に判別可能となる。
【０１１１】
また、本実施形態に係る評価装置１００において、移動経過データは、表示期間の開始時点から注視点Ｐが特定領域Ａに最初に到達した到達時点までの時間を示す到達時間データと、注視点Ｐが最初に特定領域Ａに到達するまでに複数の比較領域Ｂ〜Ｄの間で注視点Ｐの位置が移動する回数を示す移動回数データと、表示期間に注視点Ｐが特定領域Ａに存在した存在時間を示す存在時間データのうち少なくとも１つのデータと、特定領域Ａ及び比較領域Ｂ〜Ｄのうち表示時間において注視点Ｐが最後に存在していた領域を示す最終領域データとを含む。これにより、高精度の評価データを効率的に得ることができる。
【０１１２】
また、本実施形態に係る評価装置１００において、評価部２２４は、移動経過データに含まれる少なくとも１つのデータに重みをつけて評価データを求める。これにより、各データに優先順位をつけることにより、より高精度の評価データを得ることができる。
【０１１３】
本発明の技術範囲は上記実施形態に限定されるものではなく、本発明の趣旨を逸脱しない範囲で適宜変更を加えることができる。
【０１１４】
図２４は、第２表示動作を行った後の動作の一例を示す図である。図２４に示すように、判定部２１８は、注視点の位置データに基づいて、第２表示動作の後に注視点が目標位置Ｐ１を含む所定領域Ｑに存在するか否かを検出し、所定領域Ｑに存在することが検出された場合に判定を行うようにしてもよい。所定領域Ｑとしては、例えば、目標位置Ｐ１を含み、第３表示動作において設定される特定領域Ａ及び比較領域Ｂ〜Ｄに重ならない範囲に設定することができる。
【０１１５】
図２５は、本実施形態に係る評価方法の他の例を示すフローチャートである。図２５では、注視点が所定領域Ｑに存在することが検出された場合に判定を行う動作を示している。図２５に示すように、表示制御部２０２は、上記実施形態と同様に、映像の再生を開始させ（ステップＳ１０１）。評価用映像部分までの待ち時間を経過した後（ステップＳ１０２）、注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ１４０）。位置データが検出された場合（ステップＳ１４１のＮｏ）、判定部２１８は、位置データに基づいて注視点Ｐが存在する領域を検出する（ステップＳ１４２）。
【０１１６】
注視点Ｐが所定領域Ｑに存在すると判定された場合（ステップＳ１４３のＹｅｓ）、タイマＴをリセットし（ステップＳ１０３）、カウンタのカウント値ＣＮＴＡをリセットし（ステップＳ１０４）、フラグ値を０にする（ステップＳ１０５）。そして、ステップＳ１０６以降の処理を行う。また、位置データが検出されない場合（ステップＳ１４１のＹｅｓ）、及び注視点Ｐが所定領域Ｑに存在しないと判定された場合（ステップＳ１４３のＮｏ）には、映像再生を停止し（ステップＳ１４４）、ステップＳ１０１以降の処理を繰り返し行わせる。これにより、被験者の注視点Ｐをより確実に目標位置Ｐ１又はその周囲の所定領域Ｑに位置させることができる。
【０１１７】
また、図２６は、第２表示動作を行った後の動作の他の例を示す図である。図２６に示すように、注視点検出部２１４は、注視点の位置データに基づいて、第２表示動作の後の注視点Ｐの位置、つまり、誘導対象物により誘導された注視点Ｐの位置を求めてもよい。注視点Ｐの位置は、例えば表示画面１０１Ｓの原点位置（例えば、図中右下の角部）を基準とするＸ座標（Ｐｘ）とＹ座標（Ｐｙ）とに基づいて求めることができる。注視点検出部２１４は、求めた注視点Ｐの位置を算出位置Ｐ２として設定する。
【０１１８】
図２７は、表示画面１０１Ｓに表示する回答対象物の一例を示す図である。図２７に示すように、表示制御部２０２は、第３表示動作として、誘導位置を中心として複数の回答対象物Ｍ１〜Ｍ４を配置する。この場合、誘導位置は、第２表示動作の後に算出した算出位置Ｐ２とする。表示制御部２０２は、複数の回答対象物Ｍ１〜Ｍ４を誘導位置である算出位置Ｐ２から等距離となる位置に配置することができる。また、領域設定部２１６は、このように配置された特定対象物Ｍ１に対応した特定領域Ａを設定し、比較対象物Ｍ２〜Ｍ４のそれぞれに対応した比較領域Ｂ〜Ｄを設定する。
【０１１９】
図２８は、本実施形態に係る評価方法の他の例を示すフローチャートである。図２８では、注視点Ｐの位置を算出し、算出位置Ｐ２を誘導位置として回答対象物Ｍ１〜Ｍ４を配置させる動作を示している。図２８に示すように、上記実施形態と同様に、表示制御部２０２は、映像の再生を開始させ（ステップＳ１０１）。評価用映像部分までの待ち時間を経過した後（ステップＳ１０２）、注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ１４０）。位置データが検出された場合（ステップＳ１４１のＮｏ）、判定部２１８は、位置データに基づいて注視点Ｐの位置である算出位置Ｐ２を設定する（ステップＳ１４５）。判定部２１８により算出位置Ｐ２が設定された場合、表示制御部２０２は、算出位置Ｐ２を中心として複数の回答対象物Ｍ１〜Ｍ４を配置する（ステップＳ１４６）。複数の回答対象物Ｍ１〜Ｍ４が配置された場合、タイマＴをリセットし（ステップＳ１０３）、カウンタのカウント値ＣＮＴＡをリセットし（ステップＳ１０４）、フラグ値を０にする（ステップＳ１０５）。そして、ステップＳ１０６以降の処理を行う。また、位置データが検出されない場合（ステップＳ１４１のＹｅｓ）、映像再生を停止し（ステップＳ１４４）、ステップＳ１０１以降の処理を繰り返し行わせる。これにより、第２表示動作後の被験者の注視点Ｐの位置に基づいて複数の回答対象物Ｍ１〜Ｍ４の位置を設定するため、第３表示動作の開始時における被験者の注視点Ｐが複数の回答対象物Ｍ１〜Ｍ４上に配置されることをより確実に抑制できる。
【０１２０】
また、上記各実施形態では、評価装置１００を、認知機能障害および脳機能障害である可能性を評価する評価装置として用いる場合を例に挙げて説明したが、これに限定されない。例えば、評価装置１００は、発達障がいなどの認知機能障害および脳機能障害ではない被験者を評価する評価装置として用いてもよい。
【０１２１】
また、第１表示動作において表示画面１０１Ｓに表示する設問情報は、上記実施形態に記載の質問に対して正しい図柄や数値を注視させる設問情報に限定されない。設問情報として、例えば複数の図柄のうち所定の条件に適合する図柄の数を被験者に記憶させ、記憶させた数を用いて被験者に計算を行わせる旨の設問であってもよい。
【０１２２】
図２９から図３１は、表示画面１０１Ｓに表示する設問情報の例を示す図である。図２９に示すように、表示制御部２０２は、設問情報Ｉ５と、複数のリンゴの図柄ＦＡ１及び複数のレモンの図柄ＦＢ１とを、表示画面１０１Ｓに表示する。設問情報Ｉ５は、複数の図柄のうちリンゴの図柄ＦＡ１の個数を求めさせることで、当該個数を記憶させるための設問である。また、領域設定部２１６は、リンゴの図柄ＦＡ１に対応した対応領域Ａ１を設定する。領域設定部２１６は、リンゴの図柄ＦＡ１の少なくとも一部を含む領域に対応領域Ａ１を設定することができる。
【０１２３】
表示制御部２０２は、上記の設問情報Ｉ５と複数のリンゴの図柄ＦＡ１及び複数のレモンの図柄ＦＢ１とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ１に存在するかを上記サンプリング周期毎に判定し、判定データを出力する。演算部２２０は、判定データに基づいて、設問情報Ｉ５で指示されるリンゴの図柄ＦＡ１に対する注視時間を示す第１注視時間データを算出する。
【０１２４】
設問情報Ｉ５と複数のリンゴの図柄ＦＡ１及び複数のレモンの図柄ＦＢ１とを所定期間表示画面１０１Ｓに表示した後、表示制御部２０２は、図３０に示すように、設問情報Ｉ６と、複数のバナナの図柄ＦＡ２及び複数のイチゴの図柄ＦＢ２とを、表示画面１０１Ｓに表示する。設問情報Ｉ６は、複数の図柄のうちバナナの図柄ＦＡ２の個数を求めさせることで、当該個数を記憶させるための設問である。また、領域設定部２１６は、バナナの図柄ＦＡ２に対応した対応領域Ａ２を設定する。領域設定部２１６は、バナナの図柄ＦＡ２の少なくとも一部を含む領域に対応領域Ａ２を設定することができる。
【０１２５】
表示制御部２０２は、上記の設問情報Ｉ６と複数のバナナの図柄ＦＡ２及び複数のイチゴの図柄ＦＢ２とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ２に存在するかを上記サンプリング周期毎に判定し、判定データを出力する。演算部２２０は、判定データに基づいて、設問情報Ｉ６で指示されるバナナの図柄ＦＡ２に対する注視時間を示す第２注視時間データを算出する。
【０１２６】
設問情報Ｉ６と複数のバナナの図柄ＦＡ２及び複数のイチゴの図柄ＦＢ２とを所定期間表示画面１０１Ｓに表示した後、表示制御部２０２は、図３１に示すように、設問情報Ｉ７として、リンゴの数とバナナの数との差を被験者に計算させる旨の設問を表示画面１０１Ｓに表示する。
【０１２７】
設問情報Ｉ７を所定期間表示画面１０１Ｓに表示した後、表示制御部２０２は、第２表示動作として、誘導対象物を表示画面１０１Ｓに表示する。図３２は、表示画面１０１Ｓに表示する誘導対象物の他の例を示す図である。図３２に示すように、表示制御部２０２は、第２表示動作において、上記設問情報Ｉ７を含む画像全体を表示画面１０１Ｓ内の所定の目標位置に向けて縮小させた誘導対象物Ｅ４の映像を、アイキャッチ映像として表示画面１０１Ｓに表示する。ここでは、目標位置として、表示画面１０１Ｓの中央の位置を設定しているが、これに限定されない。
【０１２８】
表示制御部２０２は、第２表示動作を行った後、第３表示動作を行う。図３３は、表示画面１０１Ｓに表示する回答対象物の他の例を示す図である。図３３に示すように、表示制御部２０２は、第３表示動作として、それぞれ「１」〜「８」の数値を示す複数の回答対象物Ｍ２１〜Ｍ２４を表示画面１０１Ｓに表示する。表示制御部２０２は、複数の回答対象物Ｍ２１〜Ｍ２４として、設問情報Ｉ７に対して正解となる特定対象物Ｍ２１と、当該特定対象物Ｍ２１とは異なり、設問情報Ｉ７に対して不正解となる比較対象物Ｍ２２〜Ｍ２４とを表示画面１０１Ｓに表示する。
【０１２９】
表示制御部２０２は、複数の回答対象物Ｍ２１〜Ｍ２４を互いに重ならない位置に配置する。また、表示制御部２０２は、誘導位置と重ならない位置に複数の回答対象物Ｍ２１〜Ｍ２４を配置する。例えば、表示制御部２０２は、誘導位置である目標位置を中心として複数の回答対象物Ｍ２１〜Ｍ２４を配置する。表示制御部２０２は、複数の回答対象物Ｍ２１〜Ｍ２４を誘導位置である目標位置から等距離となる位置に放射状に配置することができる。例えば、表示制御部２０２は、複数の回答対象物Ｍ２１〜Ｍ２４を、目標位置を中心とした同一円周上に等ピッチで配置することができる。
【０１３０】
第３表示動作が行われる表示期間において、領域設定部２１６は、特定対象物Ｍ２１に対応した特定領域Ａを設定する。また、領域設定部２１６は、比較対象物Ｍ２２〜Ｍ２４のそれぞれに対応した比較領域Ｂ〜Ｄを設定する。この場合、領域設定部２１６は、特定領域Ａと比較領域Ｂ〜Ｄとを互いに重ならない位置に設定する。
【０１３１】
領域設定部２１６は、正解となる特定対象物Ｍ２１が示す数値「４」を基準として、例えば１つ違いの数値「５」を示す比較対象物Ｍ２２ａ、及び「３」を示す比較対象物Ｍ２２ｂについては、比較領域Ｂとする。また、２つ違いの数値「６」を示す比較対象物Ｍ２３ａ及び「２」を示す比較対象物Ｍ２３ｂについては、比較領域Ｃとする。また、３つ以上違う数値「７」を示す比較対象物Ｍ２４ａ、「１」を示す比較対象物Ｍ２４ｂ、及び「８」を示す比較対象物Ｍ２４ｃについては、比較領域Ｄとする。
【０１３２】
この設定では、上記実施形態と同様、評価においてデータ値Ｄ１を求める際、被験者の最終的な注視点Ｐが特定領域Ａに存在していない場合にデータ値Ｄ１を０にするのではなく、正解に近い数値を回答した順に一定のデータ値を付与することができる。例えば、被験者の最終的な注視点Ｐが比較領域Ｂに存在している場合には０．６、被験者の最終的な注視点Ｐが比較領域Ｃに存在している場合には０．２、被験者の最終的な注視点Ｐが比較領域Ｄに存在している場合には０、というようにデータ値Ｄ１を求めるようにしてもよい。
【０１３３】
第３表示動作において、注視点検出部２１４は、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が特定領域Ａ、及び複数の比較領域Ｂ〜Ｄに存在するかを上記サンプリング周期毎に判定し、判定データを出力する。演算部２２０は、判定データに基づいて、表示期間における注視点Ｐの移動の経過を示す移動経過データを算出する。演算部２２０は、移動経過データとして、存在時間データと、移動回数データと、最終領域データと、到達時間データとを算出する。
【０１３４】
評価部２２４は、第１表示動作において求められた第１注視時間データ及び第２注視時間データと、第３表示動作において求められた存在時間データ、移動回数データ、最終領域データ、及び到達時間データと、を用いて評価データを求める。なお、第３表示動作において求められた存在時間データ、移動回数データ、最終領域データ、及び到達時間データに基づいて評価データを求めることについては、上記実施形態と同様である。
【０１３５】
認知機能障害または脳機能障害である可能性がある被験者は、例えば設問情報Ｉ５および設問情報Ｉ６で指示される図柄をよく見ない傾向がある。また、認知機能障害および脳機能障害である可能性が低い被検者は、表示画面１０１Ｓに表示される設問に従い、設問情報Ｉ５及び設問情報Ｉ６で指示される図柄をよく見る傾向がある。このことから、第１表示動作において求められる第１注視時間データ及び第２注視時間データを参照することにより、設問情報で指示される図柄に対する注視時間を評価に反映させることができる。
【０１３６】
したがって、第１注視時間データと第２注視時間データとの和をＤ５とすると、評価値ＡＮＳは、例えば、
ＡＮＳ＝Ｄ１・Ｋ１＋Ｄ２・Ｋ２＋Ｄ３・Ｋ３＋Ｄ４・Ｋ４＋Ｄ５・Ｋ５
と表すことができる。なお、Ｄ１〜Ｄ４、Ｋ１〜Ｋ４は、上記実施形態と同様である。また、Ｋ５は、重み付けのための定数であり、Ｋ１〜Ｋ４と同様、適宜設定することができる。データ値Ｄ５は、適宜上限値が設けられてもよい。また、評価部２２４は、上記実施形態と同様、注視点データのうち少なくとも１つのデータに基づいて、被験者の評価値を求めてもよい。
【０１３７】
次に、本実施形態に係る評価方法の一例について、図３４及び図３５を参照しながら説明する。図３４は、第１表示動作における処理の他の例を示すフローチャートである。まず、図３４に示すように、第１表示動作において、表示制御部２０２は、設問情報Ｉ５とリンゴの図柄ＦＡ１及びレモンの図柄ＦＢ１とを含む評価用映像の再生を開始させる（ステップＳ２０１）。評価用映像開始までの待ち時間を経過した後、タイマＴ１をリセットし（ステップＳ２０２）、カウンタのカウント値ＣＮＴＡ１をリセットする（ステップＳ２０３）。タイマＴ１は、設問情報Ｉ５とリンゴの図柄ＦＡ１及びレモンの図柄ＦＢ１とを含む評価用映像が終了するタイミングを得るためのタイマである。カウンタＣＮＴＡ１は、第１注視時間データを示すカウント値ＣＮＴＡ１を計測するためのものである。タイマＴ１及びカウンタＣＮＴＡ１は、例えば演算部２２０に設けられる。
【０１３８】
注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ２０４）。位置データが検出されなかった場合（ステップＳ２０５のＹｅｓ）、後述するステップＳ２０９以降の処理を行う。位置データが検出された場合（ステップＳ２０５のＮｏ）、判定部２１８は、位置データに基づいて注視点Ｐが存在する領域を判定する（ステップＳ２０６）。
【０１３９】
注視点Ｐが対応領域Ａ１に存在すると判定された場合（ステップＳ２０７のＹｅｓ）、演算部２２０は、対応領域Ａ１での第１注視時間データを示すカウント値ＣＮＴＡ１を＋１とする（ステップＳ２０８）。その後、演算部２２０は、後述するステップＳ２０９以降の処理を行う。注視点Ｐが対応領域Ａ１に存在しないと判定された場合（ステップＳ２０７のＮｏ）、後述するステップＳ２０９以降の処理を行う。
【０１４０】
その後、演算部２２０は、タイマＴ１の検出結果に基づいて、映像の再生が完了する時刻に到達したか否かを判断する（ステップＳ２０９）。演算部２２０により映像の再生が完了する時刻に到達していないと判断された場合（ステップＳ２０９のＮｏ）、上記のステップＳ２０４以降の処理を繰り返し行う。
【０１４１】
演算部２２０により映像の再生が完了する時刻に到達したと判断された場合（ステップＳ２０９のＹｅｓ）、表示制御部２０２は、映像の再生を停止させる（ステップＳ２１０）。映像の再生が停止された後、設問情報Ｉ６等の表示動作を行う。
【０１４２】
図３５は、第１表示動作及び第２表示動作における処理の他の例を示すフローチャートである。図３５に示すように、表示制御部２０２は、まず、設問情報Ｉ６とバナナの図柄ＦＡ２及びイチゴの図柄ＦＢ２とを含む評価用映像の再生を開始させる（ステップＳ３０１）。評価用映像開始までの待ち時間を経過した後、タイマＴ２をリセットし（ステップＳ３０２）、カウンタのカウント値ＣＮＴＡ２をリセットする（ステップＳ３０３）。タイマＴ２は、設問情報Ｉ６とバナナの図柄ＦＡ２及びイチゴの図柄ＦＢ２とを含む評価用映像が終了するタイミングを得るためのタイマである。カウンタＣＮＴＡ２は、第２注視時間データを示すカウント値ＣＮＴＡ２を計測するためのものである。タイマＴ２及びカウンタＣＮＴＡ２は、例えば演算部２２０に設けられる。
【０１４３】
注視点検出部２１４は、設問情報Ｉ５等の表示動作と同様に被験者の注視点の位置データを検出し（ステップＳ３０４）、位置データが検出されなかった場合（ステップＳ３０５のＹｅｓ）、後述するステップＳ３０９以降の処理を行う。位置データが検出された場合（ステップＳ３０５のＮｏ）、判定部２１８は、位置データに基づいて注視点Ｐが存在する領域を判定する（ステップＳ３０６）。
【０１４４】
注視点Ｐが対応領域Ａ２に存在すると判定された場合（ステップＳ３０７のＹｅｓ）、演算部２２０は、対応領域Ａ２での第２注視時間データを示すカウント値ＣＮＴＡ２を＋１とする（ステップＳ３０８）。その後、演算部２２０は、後述するステップＳ３０９以降の処理を行う。注視点Ｐが対応領域Ａ２に存在しないと判定された場合（ステップＳ３０７のＮｏ）、後述するステップＳ３０９以降の処理を行う。
【０１４５】
その後、演算部２２０は、タイマＴ２の検出結果に基づいて、映像の再生が完了する時刻に到達したか否かを判断する（ステップＳ３０９）。演算部２２０により映像の再生が完了する時刻に到達していないと判断された場合（ステップＳ３０９のＮｏ）、上記のステップＳ３０４以降の処理を繰り返し行う。
【０１４６】
演算部２２０により設問情報Ｉ６等を含む評価用映像の再生が完了する時刻に到達したと判断された場合（ステップＳ３０９のＹｅｓ）、表示制御部２０２は、評価用映像のうち設問情報Ｉ７を含む部分を表示画面１０１Ｓに表示する。設問情報Ｉ７を所定時間表示した後、表示制御部２０２は、誘導対象物Ｅ４の映像をアイキャッチ映像として表示することで第２表示動作を行う（ステップＳ３１０）。誘導対象物Ｅ４の映像を表示した後、表示制御部２０２は、映像の再生を停止させる（ステップＳ３１１）。
【０１４７】
ステップＳ３１１の後、表示制御部２０２は、複数の回答対象物Ｍ２１〜Ｍ２４を含む評価用映像を表示画面１０１Ｓに表示させることで第３表示動作を行う。第３表示動作を行った後、評価部２２４は、評価データを求める。その後、出力制御部２２６は、評価データを出力する。この第３表示動作における処理、評価データを求める処理及び評価データを出力する処理については、上記実施形態におけるステップＳ１０１〜ステップＳ１３３（図２３参照）と同様である。
【０１４８】
このように、表示制御部２０２が、第１表示動作において複数の図柄を表示すると共に、複数の図柄のうち所定の条件に適合する図柄の数を被験者に記憶させる第１の設問情報を表示し、第１の設問情報に基づいて記憶させた図柄の数を用いて被験者に計算させる第２の設問情報を表示する構成とすることで、より客観的で正確な評価を短時間に得ることが可能となり、健常者が間違えた場合の影響を軽減することができる。
【０１４９】
図３６及び図３７は、表示画面１０１Ｓに表示する設問情報の他の例を示す図である。図３６に示すように、表示制御部２０２は、指示情報Ｉ８と、複数のリンゴが入った袋の図柄（リンゴの図柄を図柄ＧＡ１とし、袋の図柄を図柄ＧＡ２とする）及び複数のミカンの図柄ＧＢ１とを、表示画面１０１Ｓに表示する。指示情報Ｉ８は、袋に入った複数のリンゴの図柄ＧＡ１の個数を求めさせることで、１つの袋あたりのリンゴの個数を記憶させるための指示である。また、領域設定部２１６は、リンゴの図柄ＧＡ１に対応した対応領域Ａ１を設定する。領域設定部２１６は、リンゴの図柄ＧＡ１の少なくとも一部を含む領域に対応領域Ａ１を設定することができる。図３６では、２つのリンゴの図柄ＧＡ１を含む矩形の領域として対応領域Ａ１が設定されているが、これに限定されず、１つずつのリンゴの図柄ＧＡ１に対応領域Ａ１が設定されてもよい。
【０１５０】
表示制御部２０２は、上記の指示情報Ｉ８と複数のリンゴの図柄ＧＡ１、袋の図柄ＧＡ２及び複数のミカンの図柄ＧＢ１とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ１に存在するかを上記サンプリング周期毎に判定し、判定データを出力する。演算部２２０は、判定データに基づいて、指示情報Ｉ８で指示されるリンゴの図柄ＧＡ１に対する注視時間を示す第１注視時間データを算出する。
【０１５１】
指示情報Ｉ８と複数のリンゴの図柄ＧＡ１、袋の図柄ＧＡ２及び複数のミカンの図柄ＧＢ１とを所定期間表示画面１０１Ｓに表示した後、表示制御部２０２は、図３７に示すように、設問情報Ｉ９と、複数の袋の図柄ＧＡ２及び複数のミカンの図柄ＧＢ２とを、表示画面１０１Ｓに表示する。設問情報Ｉ９は、袋の図柄ＧＡ２の個数に基づいて、当該袋に入っているリンゴの図柄ＧＡ１（図３６参照）の個数を計算させる旨の設問である。具体的には、被験者が記憶した数値を用いて掛け算を行わせるための設問である。また、領域設定部２１６は、袋の図柄ＧＡ２に対応した対応領域Ａ２を設定する。領域設定部２１６は、袋の図柄ＧＡ２の少なくとも一部を含む領域に対応領域Ａ２を設定することができる。
【０１５２】
表示制御部２０２は、上記の設問情報Ｉ９と複数の袋の図柄ＧＡ２及び複数のミカンの図柄ＧＢ２とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ２に存在するかを上記サンプリング周期毎に判定し、判定データを出力する。演算部２２０は、判定データに基づいて、設問情報Ｉ９で指示される袋の図柄ＧＡ２に対する注視時間を示す第２注視時間データを算出する。
【０１５３】
設問情報Ｉ９と複数の袋の図柄ＧＡ２及び複数のミカンの図柄ＧＢ２とを所定期間表示画面１０１Ｓに表示した後、表示制御部２０２は、第２表示動作として、誘導対象物を表示画面１０１Ｓに表示する。図３８は、表示画面１０１Ｓに表示する誘導対象物の他の例を示す図である。図３８に示すように、表示制御部２０２は、第２表示動作において、上記設問情報Ｉ９、複数の袋の図柄ＧＡ２及び複数のミカンの図柄ＧＢ２を含む画像全体を表示画面１０１Ｓ内の所定の目標位置に向けて縮小させた誘導対象物Ｅ５の映像を、アイキャッチ映像として表示画面１０１Ｓに表示する。ここでは、目標位置として、表示画面１０１Ｓの中央の位置を設定しているが、これに限定されない。表示制御部２０２は、第２表示動作を行った後、第３表示動作を行う。第３表示動作以降の処理は、上記説明と同様である。
【０１５４】
図３９から図４１は、表示画面１０１Ｓに表示する設問情報の他の例を示す図である。図３９に示すように、表示制御部２０２は、設問情報Ｉ１０と、複数のヤカンの図柄ＨＡ１及び複数の生き物（魚、カエル、イカ）の図柄ＨＢ１とを、表示画面１０１Ｓに表示する。設問情報Ｉ１０は、複数の図柄のうちヤカンの図柄ＨＡ１の個数を求めさせることで、当該個数を記憶させるための設問である。この例では、上記各例に比べて、表示される図柄の種類が多いため、難易度が高くなっている。このような難易度が高い設問は、認知機能障害および脳機能障害のリスクが比較的低い被検者の評価に対応した設問となるため、例えば認知機能障害および脳機能障害の早期の発見等に有効である。また、領域設定部２１６は、ヤカンの図柄ＨＡ１に対応した対応領域Ａ１を設定する。領域設定部２１６は、ヤカンの図柄ＨＡ１の少なくとも一部を含む領域に対応領域Ａ１を設定することができる。
【０１５５】
表示制御部２０２は、上記の設問情報Ｉ１０と複数のヤカンの図柄ＨＡ１及び複数の生き物の図柄ＨＢ１とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ１に存在するかを上記サンプリング周期毎に判定し、判定データを出力する。演算部２２０は、判定データに基づいて、設問情報Ｉ１０で指示されるヤカンの図柄ＨＡ１に対する注視時間を示す第１注視時間データを算出する。
【０１５６】
設問情報Ｉ１０と複数のヤカンの図柄ＨＡ１及び複数の生き物の図柄ＨＢ１とを所定期間表示画面１０１Ｓに表示した後、表示制御部２０２は、図４０に示すように、設問情報Ｉ１１と、複数のカップの図柄ＨＡ２及び複数の生き物（魚、カエル）の図柄ＨＢ２とを、表示画面１０１Ｓに表示する。設問情報Ｉ１１は、複数の図柄のうちカップの図柄ＨＡ２の個数を求めさせることで、当該個数を記憶させるための設問である。また、領域設定部２１６は、カップの図柄ＨＡ２に対応した対応領域Ａ２を設定する。領域設定部２１６は、カップの図柄ＨＡ２の少なくとも一部を含む領域に対応領域Ａ２を設定することができる。
【０１５７】
表示制御部２０２は、上記の設問情報Ｉ１１と複数のカップの図柄ＨＡ２及び複数の生き物の図柄ＨＢ２とを所定期間表示画面１０１Ｓに表示する。注視点検出部２１４は、この期間、規定のサンプリング周期（例えば２０［ｍｓｅｃ］）毎に、表示装置１０１の表示画面１０１Ｓにおける被験者の注視点の位置データを検出する。注視点Ｐの位置データが検出された場合、判定部２１８は、被験者の注視点が対応領域Ａ２に存在するかを上記サンプリング周期毎に判定し、判定データを出力する。演算部２２０は、判定データに基づいて、設問情報Ｉ１１で指示されるカップの図柄ＨＡ２に対する注視時間を示す第２注視時間データを算出する。
【０１５８】
設問情報Ｉ１１と複数のカップの図柄ＨＡ２及び複数の生き物の図柄ＨＢ２とを所定期間表示画面１０１Ｓに表示する。その後、表示制御部２０２は、図４１に示すように、設問情報Ｉ１２として、カップの図柄ＨＡ２の数とヤカンの図柄ＨＡ１の数との差を被験者に計算させる旨の設問を表示画面１０１Ｓに表示する。この例では、時間的に後に表示されたカップの図柄ＨＡ２の数から、時間的に先に表示されたヤカンの図柄ＨＡ１の数を引いた値を計算させることになる。そのため、時間的に先に表示された図柄の数から後に表示された図柄の数を引いた数を計算させる場合に比べて、難易度が高くなる。
【０１５９】
設問情報Ｉ１２を所定期間表示画面１０１Ｓに表示した後、表示制御部２０２は、第２表示動作として、誘導対象物を表示画面１０１Ｓに表示する。図４２は、表示画面１０１Ｓに表示する誘導対象物の他の例を示す図である。図４２に示すように、表示制御部２０２は、第２表示動作において、上記設問情報Ｉ１２を含む画像全体を表示画面１０１Ｓ内の所定の目標位置に向けて縮小させた誘導対象物Ｅ６の映像を、アイキャッチ映像として表示画面１０１Ｓに表示する。ここでは、目標位置として、表示画面１０１Ｓの中央の位置を設定しているが、これに限定されない。表示制御部２０２は、第２表示動作を行った後、第３表示動作を行う。第３表示動作以降の処理は、上記説明と同様である。
【符号の説明】
【０１６０】
Ａ…特定領域、Ａ１，Ａ２…対応領域、Ｂ〜Ｄ…比較領域、Ｄ１，Ｄ２，Ｄ３，Ｄ４，Ｄ５…データ値、Ｅ１，Ｅ２，Ｅ３，Ｅ４，Ｅ５，Ｅ６…誘導対象物、ＦＡ１，ＦＢ１，ＦＡ２，ＦＢ２，ＧＡ１，ＧＢ１，ＧＡ２，ＧＢ２，ＨＡ１，ＨＢ１，ＨＡ２，ＨＢ２…図柄、Ｉ１，Ｉ２，Ｉ４，Ｉ５，Ｉ６，Ｉ７，Ｉ９，Ｉ１０，Ｉ１１，Ｉ１２…設問情報、Ｉ３、Ｉ８…指示情報、Ｍ１，Ｍ５，Ｍ９，Ｍ１３，Ｍ１７…特定対象物、Ｍ２〜Ｍ４，Ｍ６〜Ｍ８，Ｍ１０〜Ｍ１２，Ｍ１４〜Ｍ１６，Ｍ１８〜Ｍ２０…比較対象物、Ｐ…注視点、Ｐ１，Ｐ１ａ…目標位置、Ｐ２…算出位置、Ｑ…領域、Ｍ１〜Ｍ２０…回答対象物、１００…視線検出装置（評価装置）、１０１…表示装置、１０１Ｓ…表示画面、２０２…表示制御部、２１４…注視点検出部、２１６…領域設定部、２１８…判定部、２２０…演算部、２２４…評価部
【図１】
2020025849.tif 000003
【図２】
2020025849.tif 000004
【図３】
2020025849.tif 000005
【図４】
2020025849.tif 000006
【図５】
2020025849.tif 000007
【図６】
2020025849.tif 000008
【図７】
2020025849.tif 000009
【図８】
2020025849.tif 000010
【図９】
2020025849.tif 000011
【図１０】
2020025849.tif 000012
【図１１】
2020025849.tif 000013
【図１２】
2020025849.tif 000014
【図１３】
2020025849.tif 000015
【図１４】
2020025849.tif 000016
【図１５】
2020025849.tif 000017
【図１６】
2020025849.tif 000018
【図１７】
2020025849.tif 000019
【図１８】
2020025849.tif 000020
【図１９】
2020025849.tif 000021
【図２０】
2020025849.tif 000022
【図２１】
2020025849.tif 000023
【図２２】
2020025849.tif 000024
【図２３】
2020025849.tif 000025
【図２４】
2020025849.tif 000026
【図２５】
2020025849.tif 000027
【図２６】
2020025849.tif 000028
【図２７】
2020025849.tif 000029
【図２８】
2020025849.tif 000030
【図２９】
2020025849.tif 000031
【図３０】
2020025849.tif 000032
【図３１】
2020025849.tif 000033
【図３２】
2020025849.tif 000034
【図３３】
2020025849.tif 000035
【図３４】
2020025849.tif 000036
【図３５】
2020025849.tif 000037
【図３６】
2020025849.tif 000038
【図３７】
2020025849.tif 000039
【図３８】
2020025849.tif 000040
【図３９】
2020025849.tif 000041
【図４０】
2020025849.tif 000042
【図４１】
2020025849.tif 000043
【図４２】
2020025849.tif 000044